(57)【特許請求の範囲】
【請求項１】
クリーニング組成物であって、以下の成分、
ベース、及び
少なくとも10μmのd10、450μm以下のd90、及び25〜350μｍのｄ50を有する無機粒状物質、
を含み、前記無機粒状物質が、球状パーライトであり、前記球状パーライトが、発泡パーライトであり、実質上閉じられておりかつ中空である微小球を含み、
前記球状パーライトの少なくとも50％が、微小球であることを特徴とするクリーニング組成物。
【請求項２】
前記ベースが、洗浄剤を含む、請求項１に記載のクリーニング組成物。
【請求項３】
前記球状パーライトが、粉砕されていない発泡パーライトである、請求項１又は２に記載のクリーニング組成物。
【請求項４】
前記球状パーライトの少なくとも80％が、微小球である、請求項１〜３のいずれか１項に記載のクリーニング組成物。
【請求項５】
前記無機粒状物質が、400μm以下のd90を有する、請求項１〜４のいずれか１項に記載のクリーニング組成物。
【請求項６】
前記無機粒状物質が、(i)0.10〜4.0g/cc、又は(ii)0.10〜2.0g/cc、又は(iii)の1.50〜2.50g/cc、又は(iv)0.20〜0.70g/ccの密度を有する、請求項１〜５のいずれか１項に記載のクリーニング組成物。
【請求項７】
前記無機粒状物質が、65％〜75％の白色度を有する、請求項１〜６のいずれか１項に記載のクリーニング組成物。
【請求項８】
前記無機粒状物質が、150〜500g/lの嵩密度を有する、請求項１〜７のいずれか１項に記載のクリーニング組成物。
【請求項９】
前記無機粒状物質が、180μm〜280μmのd50を有する、請求項１に記載のクリーニング組成物。
【請求項１０】
前記無機粒状物質が、30μm〜80μmのd50を有する、請求項１に記載のクリーニング組成物。
【請求項１１】
前記無機粒状物質が、0.5質量％〜5質量％の量で存在する、請求項１〜１０のいずれか１項に記載のクリーニング組成物。
【請求項１２】
硬質表面クレンジング組成物又は食卓用食器クレンジング組成物である、請求項１に記載のクリーニング組成物。
【請求項１３】
ベースを含むクリーニング組成物における無機粒状物質の使用であって、前記無機粒状物質が、少なくとも10μmのd10、450μm以下のd90、及び25〜350μｍのｄ50を有し、前記無機粒状物質が、発泡球状パーライトであり、実質上閉じられておりかつ中空である微小球を含み、前記発泡球状パーライトの少なくとも50％が、微小球であることを特徴とする使用。
【請求項１４】
前記ベースが、ジェルである、請求項１３に記載の使用。
【請求項１５】
前記無機粒状物質が、スクラビング作用を提供する、請求項１３に記載の使用。
【請求項１６】
請求項１〜１２のいずれか１項に記載のクリーニング組成物の調製方法であって、ベースと、無機粒状物質とを配合する工程を含み、前記無機粒状物質が、少なくとも10μmのd10、450μm以下のd90、及び25〜350μｍのｄ50を有し、前記無機粒状物質が、発泡球状パーライトであり、実質上閉じられておりかつ中空である微小球を含み、前記発泡球状パーライトの少なくとも50％が、微小球であることを特徴とする方法。
【請求項１７】
前記ベースが、ジェルである、請求項１６に記載の方法。
【発明の詳細な説明】
【技術分野】
【０００１】
本発明は、(i) 化粧学的に許容されるベース及び無機粒状物質を含むパーソナルケア組成物、例えばシャワージェル又はヘアシャンプー及び該パーソナルケア組成物の製造方法；(ii) ベース及び無機粒状物質を含むクリーニング組成物、例えば硬質表面クレンジング組成物及び該クリーニング組成物の製造方法；及び(iii) パーソナルケア組成物等の組成物、このような組成物における、約0.1μm〜約200μmのd50を有する無機粒状物質の使用、及びこのような組成物の製造方法に関する。
【背景技術】
【０００２】
泡立ての際に、スクラブ感(scrub feel)を付与し、かつ皮膚の最上層の剥離を促進するために、粒状物質を、スキンクレンジング組成物、例えばシャワージェル及びバスジェルに添加することは公知である。最近では、スキンクレンジング組成物にプラスチックマイクロビーズを組込む、増大する傾向がある。しかし、プラスチックマイクロビーズは、水路に入り、またついには湖、海及び大洋に至る。これは、幾つかの環境団体をして、プラスチックマイクロビーズに対する禁止を求める結果となった。従って、シャワージェル等において使用するための、プラスチックマイクロビーズに係る上記主張された環境上の欠点を被ることのない、新たな及び更には改善された粒子状物質の開発に対する継続する要求がある。
更に、研磨成分を含有する、粒状組成物又は液状(ジェル、ペースト型を含む)組成物等のスカーリング(scouring)組成物は、当分野において周知である。かかる組成物は、様々な表面、特に汚れ及び土の除去が困難な程に汚れてしまう傾向のあるこれら表面のクリーニングのために使用される。
目下のところ知られているスカーリング組成物の中で、最も人気のあるものは、球状から不規則なものまでに及ぶ形状を有する研磨粒子をベースとしている。最も普通の研磨粒子は、炭酸塩、クレー、シリカ、ケイ酸塩、頁岩アッシュ、及び珪砂等の無機物、又はポリプロピレン、PVC、メラミン、ウレア、ポリアクリレート及び誘導体等の有機物、及び内部に懸濁された研磨粒子を含む、クリーム状のコンシステンシーを有する液体組成物形状にあるカム(come)である。
【０００３】
極めて固い研磨粒子の存在のために、これら組成物は、これらが適用されている表面を損なう、即ち引掻傷を付けてしまう可能性がある。事実、調剤業者は、許容される表面安全性プロファイルをフィーチャリング(featuring)としつつ、良好なクリーニング性能と、強力な表面損傷というフィーチャリング又は該クリーニング性能に対する譲歩との間で選択する必要がある。更に、少なくとも特定の応用分野(例えば、硬質表面のクリーニング)において、このような現在知られているスカーリング組成物は、消費者により時代遅れのものとして理解されており、また使用中の手における不快感のために、しばしば嫌われている。ナッツの殻、例えばクルミ及びアーモンド等の天然物質由来の、又は種子の核、例えばアンズ及びサクランボ由来の研磨粒子は、しばしば上述の要件を満たしているが、これらは、その性質上、暗色を有するものと思われ、またクリーニング製品にこれらを含めることにより、非審美的な泥状の液体組成物がもたらされる。これは、このものが該液体組成物の様相及びそのクリーニング性能を台無しにしていることから、消費者/ユーザーについては、著しく望ましくない。それ故、クリーニング用液状組成物に関する上記審美性及び性能要件を等しく満足する、天然素材由来の研磨粒子の特定に対する実際的な要求がある。
その上、パーソナルケア製品及び洗浄流体等のクレンジング組成物は、種々様々である。特に、ヘアシャンプー及びシャワー/バスジェル等のパーソナルケア製品を使用する場合に、該組成物のクレンジング機能を高め、及び/又はそのユーザーに対して高められた技能(enhanced experience)を与える可能性のある、改善された又は改良された諸特性を有する新たな製品の開発に対する継続する要求がある。例えば、ユーザーは、より多くの泡を発生する、あるいはよりクリーム状の肌理を有する、パーソナルケア製品をより好む可能性がある。
【発明の概要】
【０００４】
第一の一般的局面
第一の局面によれば、本発明は、化粧学的に許容されるベース；及びパーライト、バーミキュライト、アルミナ、ネフェリン、及びこれらの混合物からなる群から選択される無機粒状物質を含むパーソナルケアクレンジング組成物を対象とする。特定の態様において、該パーソナルケアクレンジング組成物は、シャワー又はバスジェルである。特定の態様において、該パーソナルケアクリーニング組成物は、フケ防止シャンプーである。
第二の局面によれば、本発明は、商業活動に適した包装製品を対象とし、該製品は、本発明に係る上記第一の局面に従うパーソナルケアクレンジング組成物を含む。
第三の局面によれば、本発明は、本発明に係る上記第一の局面に従って定義されたような無機粒状物質の、ゲルを含むパーソナルケアクレンジング組成物、例えばシャワージェルにおける使用を対象とする。
第四の局面によれば、本発明は、本発明に係る上記第一の局面に従って定義されたような無機粒子状物質の、ヘアシャンプー、例えばフケ防止シャンプーにおける使用を対象とする。
第五の局面によれば、本発明は、フケを処理し又はこれを予防する方法を対象とし、該方法は、本発明に係る上記第一の局面の態様に従うヘアシャンプーの有効量を、フケが処理され又は予防されるように、局所的適用により投与することを含む。
第六の局面によれば、本発明は、フケを処理し又はこれを予防するのに使用するための、本発明の上記第一の局面に係る態様に従うヘアシャンプーを対象とする。
第七の局面によれば、本発明は、本発明に係る上記第一の局面に従うパーソナルケアクレンジング組成物を製造するための方法を対象とし、該方法は、化粧学的に許容されるベースと、本発明に係る該第一の局面に従って定義されたような無機粒状物質とを混合せる工程を含む。
【０００５】
第二の一般的局面
第一の局面によれば、本発明は、ベース；及び球状パーライト、アルミナ(例えば、球状アルミナ)、バーミキュライト、ネフェリン、及びこれらの混合物からなる群から選択される無機粒状物質を含むクリーニング組成物を対象とする。特定の態様において、該クリーニング組成物は、硬質表面又は食卓用器具のクレンジング組成物である。
第二の局面によれば、本発明は、本発明に係る上記第一の局面に従うクリーニング組成物を含む、商業活動に適した包装製品を対象とする。
第三の局面によれば、本発明は、本発明の上記第一の局面に従って定義されたような無機粒状物質の、ゲルを含有するクリーニング組成物、例えば硬質表面用クレンジング組成物における使用を対象とする。
第四の局面によれば、本発明は、スクラビング(scrubbing)作用を与えるために、無機粒状物質を含有するクリーニング組成物を対象とする。
第五の局面によれば、本発明は、本発明の上記第一の局面に従うクリーニング組成物を製造するための方法を対象とし、該方法は、ベースと、本発明の該第一の局面に従って定義されたような無機粒状物質とを混合せる工程を含む。
【０００６】
第三の一般的局面
第一の局面によれば、本発明は、ベース、起泡剤（foaning agent）及び約0.1μm〜約200μmのd50を有する無機粒状物質を含む組成物を対象とする。
第二の局面によれば、本発明は、約0.1μm〜約200μmのd50を有する無機粒状物質の、ベースと起泡剤とを含む組成物における、該組成物を局所的に適用した際に又はその間に、該組成物の泡容積を増大するための使用を対象とする。
第三の局面によれば、本発明は、約0.1μm〜約200μmのd50を有する無機粒状物質の、ベースと起泡剤とを含む組成物における、該組成物を局所的に適用した際に又はその間に発生する泡の平均バブルサイズを減じるための使用を対象とする。
第四の局面によれば、本発明は上記第一の局面に従う組成物の製造方法を対象とし、該方法は、各々適当な量のベース、起泡剤及び無機粒状物質の混合せ工程を含む。
【図面の簡単な説明】
【０００７】
【図１】図１は、実施例において詳述されるような幾つかのテストされたゲル組成物に係るスクラブ感をまとめたグラフである。
【図２】図２は、実施例において詳述されるような幾つかの無機粒状物質及び比較物質に係る摩損性をまとめたグラフである。
【図３】図３は、実施例においてMA No.2として名付けられた、微小球アルミナに係る光学画像である。
【図４】図４は、実施例においてPM No.1として名付けられた、微小球パーライトに係る光学画像である。
【図５】図５は、実施例において製造された比較シャンプー及び一連の模範的なシャンプーに係る泡容積をまとめたグラフである。図１〜４は、上記第一の一般的局面に関連する。図５は、上記第三の一般的局面に係る。
【発明を実施するための形態】
【０００８】
第一の一般的局面
ここにおいて使用される用語「パーソナルケアクレンジング組成物」は、皮膚及び/又は毛髪、特にヒト皮膚の外側(最上)層を作り上げているケラチン-含有物質に適合する組成物を意味する。特定の態様において、該パーソナルケアクレンジング組成物は、シャワージェル又はバスジェルである。特定の態様において、該パーソナルケアクレンジング組成物は、シャワージェルである。特定の態様において、該パーソナルケアクレンジング組成物はヘアシャンプー、例えばフケ防止ヘアシャンプーである。
ここにおいて使用される用語「シャワージェル」又は「バスジェル」は、水及び洗浄剤ベースのゲルを含む組成物(例えば、液状石鹸)を意味する。特定の態様において、そのpHは身体上での使用のために釣り合わされている。該シャワー又はバスジェルは、ここに記載の如き添加された機能性成分、例えばモイスチャライザー/コンディショナー、真珠光沢剤(pearlescents)、着色剤、香料等を含むことができる。これら組成物は、該シャワー又はバスにおけるスキンクレンジング剤として使用される。該シャワー及びバスジェルに関するpH範囲は、典型的には約5.75〜約7である。対照的に、ヘアシャンプーは、毛髪を清浄化するためによりきつい界面活性剤を典型的に含む組成物として特徴付けることができ、またシャワー又はバスジェルよりも幾分高い酸性状態であり得る。シャンプーは、特殊な毛髪の状態、例えば乾燥、油性、カラートリートメントによる損傷及び縮れ等に対して処方し得る。各機能は、目標とする機能に依存して処方される、様々な成分の混合物を使用することができる。該ヘアシャンプーに関するpH範囲は、典型的に約5〜約7である。殆どのシャンプーは、約4.5〜約5.5という該毛髪の自然の酸性度に適したものとするために、シャワー又はバスジェルよりも低いpH、例えば約5.5〜約6を典型的に有する。
特定の態様において、上記パーソナルケアクレンジング組成物は、クリームではなく、及び/又はローションではなく、及び/又はフケ防止シャンプー以外のヘアシャンプーではない。
【０００９】
ここにおいて使用される用語「ゲル」とは、ゲル-様の特性を有する相、例えば放置した際に低い又は無視し得る程の流動を示す相、又は低い粘度を有する液相を含む。例えば、ゲルは、液体中に分散された固体からなるコロイド状懸濁液又はゾルであり得る。特定の態様において、該ゲルは、少なくとも約0.5Pa.s(100rpmにおいて、RVスピンドル6)の及び場合により約100Pa.s以下(1 rpmにおいて、RVスピンドル6)のブルックフィールド粘度を有する。付随的にあるいはその代わりに、該ゲルは約0.9〜約1.2、例えば約1.0〜約1.1の範囲の比重を有することができる。特定の態様において、該ゲルは、水及び洗浄剤ベースのエマルションである。該洗浄剤ベースは、ここに記載の如き界面活性剤又は界面活性剤混合物を含むことができる。特定の態様において、該ゲルは、チキソトロープ性であり得、即ち静止中はゲル-様であるが、攪拌された際には(例えば、振盪又は絞られた場合)、流体であり得る。
特定の態様において、上記シャワー又はバスジェルは、ポリエチレンマイクロビーズを含む匹敵するバス又はシャワージェル、例えばデュポン(Du Pont)社から入手し得るゴタレン(Gotalene)(RTM) 135カラーレス26マイクロビーズを含有する、匹敵するシャワー又はバスジェルと少なくとも同程度又はそれよりも良好でさえあるスクラブ感(scrub feel)を有する。該マイクロビーズは、低密度ポリエチレン(LDPE)で構成され、また630μm未満の最大粒度、106℃という融点、70というメルトフローインデックス(190℃/2.16kg)、≧23の嵩密度、及び0.918g/cm3という比重を有する点において特徴付けられる。「匹敵する(comparable)」との用語は、該シャワージェル又はバスジェルが、その無機粒状物質が、該マイクロビーズによって置き換えられている点においてのみ異なっていることを意味する。スクラブ感に係る適当なテストは、以下において、実施例で説明される。
【００１０】
特定の態様において、上記無機粒状物質を含む上記ヘアシャンプーは、洗浄中に毛髪及び頭皮内にすり込むことにより局所的に適用された際に、該皮膚及び頭皮に係る改善された剥離をもたらし、あるいはこれを促進する。該ヘアシャンプーがフケ防止シャンプーである特定の態様において、フケ防止性化学薬品(1又は複数)と無機粒状物質との組合せは、フケの処置における相乗的な改善を与える。理論により束縛されるつもりはないが、該無機粒子状物質の剥離効果は、毛髪の洗浄中のフケの低減又はその排除を機械的に改善するものと思われる。
上記パーソナルケアクレンジング組成物(例えば、シャワージェル又はバスジェル又はヘアシャンプー)は、商業活動に適した包装製品の状態(例えば、タブ、チューブ、ボトル、パケット、サシェ、キャニスター、ディスペンサ等)で提供することができる。
上記無機粒状物質
驚くべきことには、本発明に係る上記第一の局面に従う無機粒状物質は、シャワー及びバスジェルにおいて一般に使用されるプラスチックマイクロビーズに対する部分的又は全体的な代替品として、ゲルを含有するパーソナルケアクレンジング組成物に含めた場合に、スクラブ感及び/又は剥離特性を与えることが見出された。特定の態様において、該無機粒状物質は、適度な研磨剤であることが分かった。その適用による機械的な作用は、初期スクラブ感を与え、従って皮膚の上部層の剥離を助長する。ここに記載される特定の態様において、該無機粒子状物質は、球又は微小球の形状にあり、これらは実質上中空である。このような態様において、該初期スクラブ感の後に、継続される機械的作用は、該中空の球又は微小球を破壊し、更に該皮膚上部層の剥離を増進させる。
上記無機粒状物質は、パーライト、バーミキュライト、アルミナ、ネフェリン及びこれらの混合物からなる群から選択される。
【００１１】
特定の態様において、上記無機粒状物質は、パーライト、バーミキュライト、ネフェリン及びこれらの混合物からなる群から選択される。
特定の態様において、上記無機粒状物質は、アルミナを含まず、あるいはアルミナではない。
特定の態様において、上記無機粒状物質は、(i) パーライト；又は(ii) アルミナ；又は(iii) バーミキュライト；又は(iv) ネフェリンを含み、これらから本質的になり、あるいはこれらからなっている。
上記無機粒状物質がパーライトを含み、これから本質的になり、あるいはこれからなる特定の態様において、該パーライトは実質的に球状パーライトである。「実質的に球状」との用語により、該無機粒状物質の個々の粒子が、光学顕微鏡(例えば、キーエンス(Keyence) VHX-1000)を用いて調査したものとして、一般に(しかし、必ずしも幾何学的に規則的である必要はない)球状、回転楕円状及び/又は卵型の形態、即ち一般的に角の無い形態を有することが意味されている。例えば、実質的に球状の粒子は1.15又はそれ未満、又は1.10又はそれ未満、又は1.05又はそれ未満の真円度を有することができる。粒子状物質の真円度は、以下の方法に従って測定することができる。粒子状物質サンプルの画像を、対照的な背景上で、光学顕微鏡(例えば、キーエンス(Keyence) VHX-100)を用いて撮影する。次いで、該画像を、ドイツ国ゾルムスのライカマイクロシステムズ(Leica Microsystems, Solms, Germany)による、ライカLAS画像解析ソフトウエア(Leica LAS Image Analysis Software) (http://www.leica-microsystems.com/products/microscope-software/materials-sciences/details/product/leica-las-image-analysis/downloads/を参照)を用いて、転写し(transfer)、かつ開く(open)。約100粒子からなるサンプルを、次に丸く線で描き、かつ該ソフトウエアによりその真円度を計算する。
【００１２】
特定の態様において、上記パーライトは発泡パーライトである。典型的に、発泡パーライトは、1又はそれ以上の気泡又は気泡を有する部分を含み、ここにおいて一つの気泡は、部分的に又は完全にガラス壁で囲まれた気孔空間であり、通常は該ガラスが軟化された状態にある場合に、ガスの膨張によって形成される。パーライトを膨張させるための方法は、当分野において周知であり、また膨張炉内で、最小限度約700℃、典型的には800℃〜1,100℃の間の温度まで、空気中でパーライトを加熱する工程を含む。発泡パーライトを製造するための典型的な方法は、US-A-20060075930において記載されている。その全内容を、言及することによりここに組入れる。発泡パーライトは、典型的に発泡されていない材料の嵩容積の20倍までの嵩容積を有する。特定の態様において、該実質的に球状のパーライトは、発泡パーライトである。
特定の態様において、上記パーライトは、微小球の形状にある。該微小球は、中空又は中実であり得る。特定の態様において、該微小球は中空であり、例えば実質的に閉じられかつ中空である。特定の態様において、該微小球は、実質的に独立気泡構造、例えば通常空気で満たされた封止されたキャビティーである。特定の態様において、該パーライトの少なくとも50質量％は微小球の形状にあり、例えば該パーライトの少なくとも約60質量％、又は少なくとも約70質量％、又は少なくとも約80質量％、又は少なくとも約90質量％、又は少なくとも約95質量％、又は少なくとも約99質量％、又は実質的に100質量％が微小球の形状にある。微小球形状のパーライトは、WO-A-2013053635において記載された方法に従って製造し得る。該文書の全内容を、言及することによりここに組入れる。一般に、この方法において、パーライト鉱石及びプロペラント(propellant)は、縦型炉に供給され、該炉の炉シャフト内の多重加熱ゾーンを通して、ドロップセクション(drop section)に沿って落下する。該パーライト鉱石は、その表面が可塑化され、かつパーライト粒子が該プロペラントに基いて発泡される、臨界温度まで加熱される。
【００１３】
特定の態様において、上記パーライトは、これが球状の、発泡された、発泡された球状の又は発泡された微小球状であれば、粉砕(mill)されず、即ち該パーライトは発泡され粉砕されたパーライトではない。
特定の態様において、上記無機粒状物質は、アルミナを含み、これから本質的になり、あるいはこれからなり、場合によっては、約3.9g/ccを超える密度を有する、非-球形及び非-微小球状の溶融アルミナを排除する。特定の態様において、該アルミナは、高純度のものであり、典型的に化学的分析に基いて少なくとも約95.0％のアルミナ、あるいは少なくとも約98.0％のアルミナ、あるいは少なくとも約98.5％のアルミナ、あるいは少なくとも約99.0％のアルミナ、あるいは少なくとも約99.5％のアルミナを含む。
上記無機粒状物質がアルミナを含み、これから本質的になり、あるいはこれからなる特定の態様において、該アルミナは、実質的に球状のアルミナである。
特定の態様において、上記アルミナは、微小球の形状にあり、これは実質的に閉じられておりかつ中空であり得る。特定の態様において、該アルミナの少なくとも50質量％は、微小球の形状にあり、例えば該アルミナの少なくとも約60質量％、又は少なくとも約70質量％、又は少なくとも約80質量％、又は少なくとも約90質量％、又は少なくとも約95質量％、又は少なくとも約99質量％、又は実質的に100質量％が、微小球の形状にある。模範的な微小球アルミナは、イメリスヒューズドミネラルズ(Imerys Fused Minerals)から入手できるアロデュール(Alodur)(RTM)バブルアルミナである。同様にしばしばアルミナバブルとも呼ばれる、微小球状のアルミナは、当分野において知られている様々な方法によって製造し得る。
特定の態様において、上記無機粒状物質及びそれ故に上記スキンクレンジング組成物は、結晶性シリカを含まない。
【００１４】
特定の態様において、上記無機粒状物質は、約500μm以下、例えば約475μm以下、又は約450μm以下、又は約425μm以下、又は約400μm以下、又は約375μm以下、又は約350μm以下、又は約325μm以下、又は約300μm以下、又は約275μm以下、又は約250μm以下、又は約225μm以下、又は約200μm以下のd90を有する。
特に述べない限り、上記無機粒状物質についてここで言う粒度特性は、シラス(CILAS)によって供給されるような、シラス(CILAS) 1064L粒度分析器を用いる、レーザー光散乱に係る分野において使用されている、周知の従来法によって(あるいは本質的に同一の結果を与える他の方法により)測定されるようなものである。該レーザー光散乱技術において、粉末、懸濁液及びエマルション中の粒子のサイズは、フラウンホーファー＆ミー(Fraunhofer and Mie)理論の適用に基いて、レーザービームの回折を利用して測定することができる。このような機械は、当分野において「球相当径(equivalent spherical diameter)」(e.s.d)と呼ばれるサイズであって、与えられたe.s.d値よりも小さな、一定のサイズを有する粒子の累積体積％の測定値及びプロットを与える。平均粒度d50は、該粒子e.s.dのこのようにして決定された値であって、この値において、該d50値未満の球相当径を有する粒子が、50体積％存在する。d10の値は、そこにおいて該粒子の10体積％が、該d10値に満たないe.s.dを有する値である。d90の値は、そこにおいて、該粒子の90質量％が、該d90値に満たないe.s.dを有する値である。d100の値は、そこにおいて、該粒子の100体積％が、該d100値に満たないe.s.dを有する値である。d0の値は、そこにおいて、該粒子の0体積％が、該d0値に満たないe.s.dを有する値である。従って、該d0測定値は、任意の与られたサンプル中の最小の粒子(該粒度分析器に係る測定限界内で)の尺度を与える。
【００１５】
特定の態様において、上記無機粒状物質は、少なくとも約10μm、例えば少なくとも約20μm、又は少なくとも約30μm、又は少なくとも約40μm、又は少なくとも約50μm、又は少なくとも約75μm、又は少なくとも約80μm、又は少なくとも約85μm、又は少なくとも約90μm、又は少なくとも約95μm又は少なくとも約100μmのd10を有する。
特定の態様において、上記無機粒状物質は、少なくとも約30μmのd10及び約500μ以下のd90、例えば少なくとも約50μmのd10及び約500μ以下のd90、又は少なくとも約50μmのd10及び約475μ以下のd90、又は少なくとも約75μmのd10及び約475μm以下のd90、又は少なくとも約90μmのd10及び約475μ以下のd90、又は少なくとも約90μmのd10及び約450μ以下のd90を有する。該態様において、該無機粒状物質は、約150μm〜約350μm、例えば約150μm〜約250μm、又は約150μm〜約200μm、又は約175μm〜約300μm、又は約175μm〜約250μm、又は約200μm〜約300μm、又は約200μm〜約275μm、又は約225μm〜約275μm、又は約250μm〜約350μm、又は約275μm〜約325μmのd50を有することができる。
特定の態様において、上記無機粒状物質は、約500μm以下のd100を有する。特定の態様において、該無機粒状物質は、少なくとも約1μm、又は少なくとも約5μm、又は少なくとも約10μmのd0を有する。
任意の特定の粒度分布が、当分野において公知の従来法を利用して、例えばスクリーニングにより得ることができる。例えば、スクリーニングは、ハーバー＆ボッカー(Haver & Bocker)により供給されるスクリーンを用い、ドイツ国ホサカワアルピン(Hosakawa Alpine, Germany)によって供給されるアルピン(Alpine) A-200ジェットシーブを用いて実施し得る。該スクリーンの開口は、必要とされる該粒度分布に依存して選択できる。例えば、100μm及び500μmという開口を有するスクリーンを、特に過大の粒子及び過小の粒子を除去し又は有意に減じることが望まれる場合には、使用することができる。
【００１６】
特定の態様において、上記無機粒状物質は、約0.10〜約4.0g/cc、例えば約0.10〜約3.8g/cc、又は約0.10〜約3.5g/cc、又は約0.10〜約3.2g/cc、又は約0.10〜約3.0g/cc、又は約0.10〜約2.5g/cc、又は約0.10〜約2.0g/cc、又は約0.10〜約1.9g/cc、又は約0.10〜約1.8g/cc、又は約0.10〜約1.7g/cc、又は約0.10〜約1.6g/cc、又は約0.10〜約1.5g/cc、又は約0.10〜約1.4g/cc、又は約0.10〜約1.3g/cc、又は約0.10〜約1.2g/cc、又は約0.10〜約1.1g/cc、又は約0.10〜約1.0g/cc、又は約0.10〜約0.9g/cc、又は約0.10〜約0.8g/cc、又は約0.10〜約0.7g/cc、又は約0.10〜約0.6g/cc、又は約0.10〜約0.5g/cc、又は約0.10〜約0.4g/cc、又は約0.20〜約0.6g/cc、又は約0.20〜約0.5g/cc、又は約0.20〜約0.4g/cc、又は約0.25〜約0.4g/cc、又は約0.30〜約0.4g/ccの密度を有する。
特定の態様において、上記無機粒状物質、例えばパーライトは、約350KPa〜約5,500KPaの圧潰強さを有する。圧潰強さは、スチール製ダイセット内に保持された無機粒状物質の床を、その元の体積の30％を圧潰するに要する圧力の尺度であり、また以下において実施例2で記載される方法に従って測定し得る。特定の態様において、発泡球状パーライトの微小球を含み、これらから本質的になり、又はこれらからなっていてもよい該無機粒状物質は、約1,000KPaを超え、又は約2,000KPaを超え、又は約2,500KPaを超え、又は約3,000KPaを超え、又は約3,500KPaを超え、又は約4,000KPaを超え、又は約4,500KPaを超え、又は約5,000KPaを超える圧潰強さを有する。特定の態様において、該無機粒状物質は、約5,250KPa以下、又は約5,000KPa以下の圧潰強さを有する。理論に拘泥するつもりはないが、より高い圧潰強さは、上記パーソナルケア組成物の剥離特性を高める可能性がある。
【００１７】
特定の態様において、上記無機粒状物質、例えばパーライトは、約150-500g/l、例えば約200-500g/l、又は約250-500g/l、又は約300-500g/l、又は約350-500g/l、又は約400-500g/l、又は約450-500g/l、又は約150-450g/l、又は約150-400g/l、又は約150-350g/l、又は約150-300g/l、又は約150-250g/l、又は約150-200g/lの嵩密度を有する。ここで使用する如き、ある物質の「嵩密度」とは、該物質を自由流動(free pouring)条件にかけた後に、該物質の質量をその収容体積で割った場合に得られる値である。嵩密度は、以下において実施例2で記載されるテスト法に従って測定することができる。
特定の態様において、上記無機粒子状物質は、発泡球状パーライトの微小球を含み、これらから本質的になり、又はこれらからなり、また少なくとも約50μmのd10、及び約500μm以下のd90、例えば少なくとも約50μmのd10、及び約450μm以下のd90を有する。このような態様において、該無機粒子状物質(即ち、パーライト)は、約0.20〜約0.75g/cc、例えば約0.20〜約0.50g/ccの密度を有することができる。該無機粒子状物質は、約150μm〜約350μm、例えば約150μm〜約300μm、又は約200μm〜約300μm、又は約225μm〜約275μm、又は約240μm〜約270μmのd50を有することができる。
特定の態様において、上記無機粒子状物質は、アルミナ、例えば化学分析に基いて少なくとも98％アルミナという純度及び少なくとも約100μmのd10及び約450μm以下のd90を有するアルミナの微小球を含み、これらから本質的になり、あるいはこれらからなる。このような態様において、該無機粒状物質(即ち、アルミナ)は、約3.0〜約3.8cc/g、例えば約3.0〜約3.2cc/g、又は約3.5〜約3.7cc/gの密度を有することができる。
上記無機粒状物質は、少なくとも約130μmのd10及び/又は約400μm以下のd90、又は少なくとも約140μmのd10及び約395μm以下のd90を有することができる。更に、該無機粒状物質は、約200μm〜約300μm、例えば約240μm〜約270μm、又は約250μm〜約260μmのd50を有することができる。
【００１８】
特定の態様において、上記無機粒子状物質、例えば発泡球状パーライトの微小球を含有し、これらから本質的になり、又はこれらからなる無機粒子状物質は、約65%〜約75%、例えば約67%〜約74%、又は約69%〜約73%の、ASTM E313に従って測定されたような白色度(brightness)を有する。
無機粒状物質を含有する本発明のパーソナルケアクレンジング組成物は、その摩損性によって特徴付けられる。これは、実施例において記載される研磨剤スクラブ(abrasive scrub)テスト法に従って測定することができる。特定の態様において、該無機粒状物質を含むパーソナルケアクレンジング組成物は、約30%〜約99%、又は約35%〜約90%、又は約40%〜約90%未満、又は約50%〜約85%、又は約60%〜約85%、又は約70%〜約80%、又は約80%〜約85%の、20°において保持される光沢の百分率として表される摩損性を有する。特定の態様において、該無機粒状物質を含有するパーソナルケアクレンジング組成物は、約75％に等しいか又はこれを超え、例えば約80％に等しいか又はこれを超え、又は約85％に等しいか又はこれを超える摩損性を有する。
特定の態様において、上記パーソナルケアクレンジング組成物中に存在する無機粒状物質の全量は、該パーソナルケアクレンジング組成物の全質量を基準として、約0.1質量％〜約40質量％、例えば約0.1質量％〜約30質量％、又は約0.1質量％〜約20質量％、又は約0.1質量％〜約15質量％、又は0.1質量％〜約10質量％、又は約0.1質量％〜約9.0質量％、又は約0.2質量％〜約8.0質量％、又は約0.3質量％〜約7.0質量％、又は約0.4質量％〜約6.0質量％、又は約0.5質量％〜約5.0質量％、又は約0.5質量％〜約4.0質量％、又は約0.5質量％〜約3.0質量％、又は約0.5質量％〜約2.0質量％、又は約0.75質量％〜約5.0質量％、又は約0.75質量％〜約3.0質量％、又は約0.75質量％〜約2.5質量％、又は約1質量％〜約3.0質量％、又は約1.5質量％〜約5.0質量％、又は約2.0質量％〜約10質量％、又は約2.0質量％〜約5.0質量％、又は約2.5質量％〜約5質量％、又は約3.0質量％〜約10質量％、又は約3.0質量％〜約8質量％の量である。
特定の態様において、上記パーソナルケアクリーニング組成物中に存在する無機粒状物質の全量は、該パーソナルケアクレンジング組成物の全質量を基準として、約0.5〜約5.0質量％の量である。
【００１９】
ベース及び追加の成分
特定の態様において、上記化粧学的に許容されるベースは液体、ゲル、エマルション、ローション又はペーストの形状にある。特定の態様において、該ベースはゲルである。特定の態様において、該ベースは液体である。特定の態様において、該化粧学的に許容されるベースは、上記無機粒状物質以外の上記組成物の成分を含み又はこれを構成する。
従って、上記パーソナルケアクレンジング組成物は、ここに記載した如き、1種又はそれ以上の追加の成分を含むことができる。
特定の態様において、上記パーソナルケアクレンジング組成物は、水を含むであろう。この水は、該パーソナルケアクレンジング組成物の全質量を基準として、約10質量％〜約95質量％、例えば約20質量％〜約90質量％、又は約30質量％〜約90質量％、又は約40質量％〜約80質量％、又は約50質量％〜約75質量％、又は約50質量％〜約70質量％の量で存在し得る。当業者は、最終的な組成物中の該成分の量に基いて、該ベース中に組入れるための水に係る適当な量を選択することができるであろう。
特定の態様において、上記パーソナルケアクレンジング組成物は、1種又はそれ以上の界面活性剤を含む。ここに記載したように、該1種又はそれ以上の界面活性剤は、上記ゲルの洗浄剤ベースを構成し得る。該1種又はそれ以上の界面活性剤は、両性イオン型、アニオン性、ノニオン性及び両性界面活性剤、及びこれらの混合物から選択することができる。
特定の態様において、上記界面活性剤(1又は複数)は、上記パーソナルケアクレンジング組成物中に、該パーソナルケアクレンジング組成物の全質量を基準として、約1質量％〜約60質量％、例えば約5質量％〜約50質量％、又は約5質量％〜約30質量％の範囲の全量で存在する。当業者は、最終的な組成物中の界面活性剤の量を基準として、該ベースに組入れるための界面活性剤の適当な量を選択することができるであろう。
【００２０】
適当な両性イオン型界面活性剤は、脂肪族四級アンモニウム、ホスホニウム、及びスルホニウム化合物の誘導体を含むが、これらに限定されず、ここにおいて該脂肪族基は、直鎖又は分岐鎖であり得、またここで該脂肪族置換基の一つは、約8〜約18個の炭素原子を含み、また一つの置換基は、アニオン性の基、例えばカルボキシ、スルホネート、サルフェート、ホスフェート、又はホスホネートを含む。実例となる両性イオン型界面活性剤は、ココジメチルカルボキシメチルベタイン、ココアミドプロピルベタイン、ココベタイン、オレイルベタイン、セチルジメチルカルボキシメチルベタイン、ラウリルビス-(2-ヒドロキシエチル)カルボキシメチルベタイン、ステアリルビス-(2-ヒドロキシプロピル)カルボキシメチルベタイン、オレイルジメチルγ-カルボキシプロピルベタイン、ラウリルビス-(2-ヒドロキシプロピル)α-カルボキシエチルベタイン、及びこれらの混合物である。該スルホベタインは、ステアリルジメチルスルホプロピルベタイン、ラウリルジメチルスルホエチルベタイン、ラウリルビス-(2-ヒドロキシエチル)スルホプロピルベタイン及びこれらの混合物を含むことができる。
適当なアニオン性界面活性剤は、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセライド硫酸ナトリウム(lauric monoglyceride sodium sulfate)、ラウリル硫酸ナトリウム、ラウレス硫酸ナトリウム、ラウレス硫酸カリウム、ナトリウムラウリルサルコシネート、ナトリウムラウロイルサルコシネート、ラウリル硫酸カリウム、トリデセス硫酸ナトリウム、ナトリウムメチルラウロイルタウレート、ナトリウムラウロイルイセチオネート、ナトリウムラウレススルホサクシネート、ナトリウムラウロイルスルホサクシネート、ナトリウムトリデシルベンゼンスルホネート、ナトリウムドデシルベンゼンスルホネート、ナトリウムラウリルアンホアセテート(sodium lauryl amphoacetate)、ナトリウムラウリルスルホアセテート、ナトリウムココイルイセチオネート、ナトリウムメチルココイルタウレート及びこれらの混合物を含むが、これらに限定されない。該アニオン性界面活性剤は、例えば脂肪族スルホネート、例えば一級C8-C22アルカンスルホネート、一級C8-C22アルカンジスルホネート、C8-C22アルケンスルホネート、C8-C22ヒドロキシアルカンスルホネート又はアルキルグリセリルエーテルスルホネートであり得る。
【００２１】
適当なノニオン性界面活性剤は、疎水性基及び反応性水素原子を有する化合物の反応生成物を含む。これらは、アルキレンオキサイド、特にエチレンオキサイド単独又はプロピレンオキサイドと共に反応させた、アルコール、酸、アミド又はアルキルフェノールを含む。模範的なノニオン性界面活性剤は、C6-C22アルキルフェノール-エチレンオキサイド縮合体、C8-C18脂肪族一級又は二級の直鎖又は分岐アルコールとエチレンオキサイドとの縮合生成物、及びエチレンオキサイドと、プロピレンオキサイド及びエチレンジアミンの反応生成物との縮合により製造される生成物である。その他のノニオン性界面活性剤は、長鎖三級アミンオキサイド、長鎖三級ホスフィンオキサイド及びジアルキルスルホキシドを含む。他のノニオン性界面活性剤は、ココアミドをベースとし、またココアミドとアルコールアミン、例えばエタノールアミンとの反応により生成される、界面活性剤である。模範的なノニオン性界面活性剤は、ココアミドMEA及びココアミドDEAを含む。他の適当なノニオン性界面活性剤は、アルキルポリグルコシド、例えばデシルグルコシド、ラウリルグルコシド及びオクチルグルコシドを含む。同様に有用なのは、アルキルポリサッカライドである。
適当なカチオン性界面活性剤は、オクテニジン二塩酸塩、永続的に帯電状態にある四級アンモニウム界面活性剤、例えばアルキルトリメチルアンモニウム塩(例えば、セチルトリメチルアンモニウムブロミド、セチルトリメチルアンモニウムクロリド)、セチルピリジニウムクロリド、ベンザルコニウムクロリド、ベンゼトニウムクロリド、5-ブロモ-5-ニトロ-1,3-ジオキサン、ジメチルジオクタデシルアンモニウムクロリド、セトリモニウムブロミド及びジオクタデシルジメチルアンモニウムブロミドを含むが、これらに限定されない。
【００２２】
これらの界面活性剤は、主としてクレンジング剤、即ち本発明の組成物の洗浄剤成分の一部を構成し又は形成するものとして働く。これらの界面活性剤は、該組成物の全質量を基準として、該組成物の約50質量％まで、例えば該組成物の約1質量％〜約45質量％、あるいは該組成物の少なくとも約5質量％、又は少なくとも約10質量％、又は少なくとも約15質量％、又は少なくとも約20質量％、又は少なくとも約25質量％を構成し得る。
上記パーソナルケアクレンジング組成物がヘアシャンプーである特定の態様において、該ヘアシャンプーは、1種又はそれ以上のラウレス硫酸ナトリウム、ナトリウムC14-16オレフィンスルホネート、ナトリウムラウリルスルホアセテート、ナトリウムココイルイセチオネート、ナトリウムメチルココイルタウレート、ココアミドプロピルベタイン、ココアミドMEA及びこれらの混合物を含む。
上記ヘアシャンプーがフケ防止シャンプーである特定の態様において、フケを処置するために、該シャンプーは、更に1種又はそれ以上の添加剤、即ち化学薬品を含む。特定の態様において、フケを処置するための該添加剤、即ちフケ防止性化学薬品は、1種又はそれ以上の亜鉛ピリトン(zinc pyrithone)、コルチコステロイド、イミダゾール抗真菌剤、例えばケトコナゾール、硫化セレン、及びヒドロキシピリドン(hydoxypiridone)、例えばシクロピロックスである。特定の態様において、該フケ防止性化学薬品は、亜鉛ピリトンを含み、又は亜鉛ピリトンである。特定の態様において、該フケ防止性化学薬品は、ケトコナゾールを含み、あるいはケトコナゾールである。該フケ防止性化学薬品は、適当な量、例えば有効量で使用し得る。適当な量は、該ヘアシャンプーの全質量を基準として、約0.1質量％〜約5質量％、例えば約0.1質量％〜約3質量％、又は約0.1質量％〜約2質量％の範囲にある。当業者は、最終的な組成物におけるフケ防止性化学薬品(1又は複数)の量を基準として、そのベースに組入れるための該フケ防止性化学薬品(1又は複数)の適当な量を選択することができるであろう。
【００２３】
特定の態様において、上記シャンプーは、該フケ防止シャンプーで洗浄した後に、頭皮を和らげるために、コンディショニング(帯電防止性)界面活性剤を含む。模範的なコンディショニング界面活性剤は、ヒドロキシプロピルトリモニウムクロリド及びポリグリセロールラウレートである。
特定の態様において、上記パーソナルケアクレンジング組成物は、1種又はそれ以上の増粘剤又は懸濁剤(例えば、レオロジー調節剤)を含む。このような薬剤は、該ゲル全体に渡り分散されている上記無機粒状物質の安定性を高めることができる。適当な増粘剤は、典型的に約100,000ダルトンを超える分子量を有する、カチオン性、アニオン性、両性又はノニオン性であり得る、水溶解性/分散性ポリマーを含む。このような薬剤は、同様に該パーソナルケアクレンジング組成物の粘度を高めるのに役立つ可能性がある。典型的な増粘又は懸濁剤は、炭水化物ガム、例えばセルロースガム、ミクロクリスタリンセルロース、セルロースゲル、ヒドロキシエチルセルロース、ヒドロキシプロピルセルロース、ナトリウムカルボキシメチルセルロース、メチルセルロース、エチルセルロース、グアーガム、カラヤガム、トラガカンスゴム、アラビアガム、アカシアガム、ガム寒天(gum agar)、ザンタンガム及びこれらの混合物；変性及び未変性デンプン顆粒及びα化冷水溶解性デンプン；エマルションポリマー；カチオン性ポリマー、例えば変性ポリサッカライド；カチオン性変性セルロース；合成カチオン性ポリマー；カチオン性デンプン；カチオン性ガラクトマンナン；及び高分子量ポリエチレングリコール、エチレングリコールのエステル、又はポリエチレングリコールのエステルを含む。他の適当な増粘/懸濁剤は、例えばポリアクリル酸、アクリル酸のコポリマー及び架橋ポリマー、アクリル酸と疎水性モノマーとのコポリマー、カルボン酸含有モノマーとアクリル酸エステルとのコポリマー、アクリル酸とアクリレートエステルとの架橋コポリマーを含む。
【００２４】
増粘剤又は懸濁剤、例えばレオロジー調節剤は、存在する場合、上記パーソナルケアクレンジング組成物の全質量を基準として、約0.1質量％〜約50質量％、例えば約0.1質量％〜約35質量％、又は約0.1質量％〜約20質量％、又は約0.1質量％〜約10質量％、又は約0.1質量％〜約5質量％という全量で存在し得る。当業者は、最終的な組成物中の該成分の量に基いて、そのベース中に組入れるための各成分の適切な量を選択することができるであろう。
上記パーソナルケアクレンジング組成物は、皮膚及び毛髪用の化粧料用途において従来見出されている他の成分を含むことができ、これらは、限定なしに、スキンコンディショニング/モイスチャーライジング剤、ヘアコンディショニング/モイスチャーライジング剤、香料、芳香剤、乳白剤、真珠光沢剤(pearlescing agents)、着色剤、防腐剤、キレート剤、保湿剤、ハーブ及び/又は植物抽出物、エッセンシャルオイル、タンパク質、pH調節剤、及び抗菌剤を含む。他の成分の全量は、該パーソナルケアクレンジング組成物の全質量を基準として、約0.1〜約30質量％、例えば約0.1質量％〜約20質量％、又は約0.1質量％〜約15質量％、又は約0.5質量％〜約10質量％、又は約1質量％〜約10質量％、又は約1質量％〜約5質量％の量で存在し得る。当業者は、最終的な組成物中の該成分の量に基いて、そのベース中に組入れるための各成分の適切な量を選択することができるであろう。
適切な量のpH調節剤を、必要ならば、特に上記組成物がパーソナルケア組成物である場合には、該組成物のpHを調節するために添加することができる。例えば、上述の如く、シャワー又はバスジェルに対して望ましいpH範囲は、典型的に約5.75〜7である。シャンプーに対して望ましいpHは、幾分広くて約5〜7である。殆どのシャンプーは、典型的に4.5〜5.5辺りにある毛髪の自然な酸性度と適合させるために、シャワージェルよりも低いpH(約5.5〜6)を有する。適当なpH調節剤は、水酸化ナトリウム、塩化ナトリウム及びクエン酸を含む。
【００２５】
パーソナルケアクリーニング組成物の製造方法
本発明の特定の態様に従うパーソナルケアクレンジング組成物は、パーソナルケアクレンジング組成物、例えばシャワージェル又はフケ防止シャンプーを製造する従来の方法により製造することができる。
一般に、ゲルベースの組成物に対して、上記無機粒状物質は、該ゲル内に、該ゲルと無機粒状物質とを適量にて混合せることにより組入れられる。該混合わせ段階は、混合、例えば剪断混合を含むことができる。該無機粒状物質の組込み前、その間又はその後、任意の追加の成分を、該ゲルベースに添加することができる。該ゲルが界面活性剤と水とのエマルションである場合、該エマルションが通常まず調製され、次いで該無機粒状物質及びあらゆる他の追加の成分と混合わされるであろう。
上記ゲルベースのクレンジング組成物は、従来のフケ防止組成物と同様な方法で使用でき、即ち該組成物の適量を、湿潤又は洗浄した皮膚に適用し、また該組成物を該皮膚にすり込む。その初期スクラブ感は、該組成物がしみ込ませられるにつれて、徐々に治まるであろう。
一般に、ヘアシャンプー、例えばフケ防止シャンプーについて、該シャンプーは、適当な量で、上記無機粒状物質と上記化粧学的に許容されるベースの成分とを均質混合し、かつ混合せることにより処方される。該混合せ段階は、混合、例えば剪断混合を含むことができる。該無機粒状物質の組込み前、その間又はその後、任意の追加の成分、例えばフケ防止性化学薬品(1又は複数)を、該ベースに添加することができる。該化粧学的に許容されるベースが、界面活性剤及び水からなるエマルションである場合、該エマルションを先ず調製し、次いで該無機粒状物質及びあらゆる他の追加の成分、例えば該フケ防止性化学薬品(1又は複数)と混合せることができる。
【００２６】
フケの処置
上記フケ防止シャンプーは、従来のフケ防止シャンプーと同様な方法で使用することができ、即ち適当な量の該組成物を、湿潤させた毛髪に局所的に適用し、かつ該組成物を、該毛髪にしみ込ませ、頭皮にすり込む。本明細書において記載した如く、上記無機粒状物質の存在は、頭皮の皮膚の剥離を強め、その洗浄工程中にフケを減じ、あるいは排除しさえするのに役立つ。特定の態様において、フケ防止性化学薬品(1又は複数)と無機粒状物質との組合せは、フケの処置において相乗的改善を与え、即ち該無機粒状物質を含有する該ヘアシャンプーのフケ防止特性は、該無機粒状物質を欠いた匹敵するフケ防止シャンプーと比較して高められる。特定の態様において、フケを処置し又はこれを予防するのに効果的なフケ防止性化学薬品(1又は複数)の量は、該無機粒状物質が該ヘアシャンプーにおいて利用されている場合には、減らすことができる。
故に、特定の態様においては、ある対象(例えば、哺乳動物対象、例えばヒト)におけるフケを処置し又はこれを予防する方法が提供され、該方法は、有効量のここに記載の如きヘアシャンプーを、フケが処置されもしくは予防されるように、局所的適用により投与することを含む。該ヘアシャンプーは、所定の期間に渡って、例えば一週間、又は2週間、又は3週間、又は丸一箇月又は数箇月(例えば、2、3、4、5、6、7、8、9、10、11箇月)に渡り、あるいは1年間又は1年を超える期間(例えば、2年間、又は3年間、又は4年間、又は5年間)に渡り局所的に適用し得る。該ヘアシャンプーは、該期間に渡り毎日適用、あるいは該期間に渡り一日おきに適用、又は該期間に渡り週3回適用、該期間に渡り週二回適用、あるいは該期間に渡り週1回適用することができる。
誤解を避けるために、本件出願は、以下の番号付けしたパラグラフに記載されている趣旨を対象とする：
【００２７】
1. パーソナルケアクレンジング組成物であって、以下の成分を含む：
化粧学的に許容されるベース；及び
パーライト、バーミキュライト、アルミナ、ネフェリン、及びこれらの混合物からなる群から選択される無機粒状物質。
2. 番号付けパラグラフ1に従うパーソナルケアクレンジング組成物であって、該無機粒状物質はパーライトであり、かつ該パーライトは球状パーライトである。
3. 番号付けパラグラフ1又は2に従うパーソナルケアクレンジング組成物であって、該パーライト又は球状パーライトが、発泡パーライトであり、場合により該発泡パーライトは粉砕されていない。
4. 番号付けパラグラフ2又は3に従うパーソナルケアクレンジング組成物であって、該球状パーライトが微小球を含み、例えば少なくとも80％の該球状パーライトが微小球である。
5. 番号付けパラグラフ4に従うパーソナルケアクレンジング組成物であって、該微小球が実質的に閉じられており、かつ中空である。
6. 先行する番号付けパラグラフのいずれかに記載のパーソナルケアクレンジング組成物であって、該無機粒子状物質は、約500μm以下、例えば約400μm以下のd90を有する。
7. 番号付けパラグラフ6に従うパーソナルケアクレンジング組成物であって、該無機粒状物質は、少なくとも約30μmのd10及び約500μm以下のd90、例えば少なくとも約30μmのd10及び約400μm以下のd90を有する。
8. 先行する番号付けパラグラフのいずれかに記載のパーソナルケアクレンジング組成物であって、該無機粒状物質は、約0.10〜約4.0g/ccの密度を有する。
9. 先行する番号付けパラグラフのいずれかに記載のパーソナルケアクレンジング組成物であり、該無機粒状物質は、約0.10〜約2.0g/cc、例えば約0.10〜約1.0g/ccの密度を有する。
10. 番号付けパラグラフ9に従うパーソナルケアクレンジング組成物であって、該無機粒状物質は、約0.20〜約0.50g/ccの密度を有する。
【００２８】
11. 番号付けパラグラフ1に従うパーソナルケアクレンジング組成物であって、該無機粒子状物質は、発泡球状パーライトを含み、これから本質的になり、又はこれからなり、かつ少なくとも約50μmのd10及び約450μm以下のd90を有し、また場合により約0.20〜約0.50g/ccの密度を有する。
12. 番号付けパラグラフ11に従うパーソナルケアクレンジング組成物であって、該無機粒子状物質は、少なくとも約150μm、例えば少なくとも約180μmのd10を有し、また場合により約220μm〜約280μmのd50を有する。
13. 番号付けパラグラフ11に従うパーソナルケアクレンジング組成物であって、該無機粒状物質は、少なくとも約10μm、例えば少なくとも約80μmのd10及び約450μm以下、例えば約300μm以下のd90を有する。
14. 番号付けパラグラフ1に従うパーソナルケアクレンジング組成物であって、該無機粒子状物質はアルミナの微小球を含み、これらから本質的になり、又はこれらからなり、また少なくとも約100μmのd10及び約450μm以下のd90を有し、また場合により約3.0〜約3.8g/ccの密度を有する。
15. 番号付けパラグラフ14に従うパーソナルケアクレンジング組成物であって、該無機粒状物質は、少なくとも約130μmのd10及び/又は約400μm以下のd90、又は少なくとも約140μmのd10及び約395μm以下のd90を有する。
16. 先行する番号付けパラグラフのいずれかに記載のパーソナルケアクレンジング組成物であって、該無機粒子状物質は、該パーソナルケアクレンジング組成物の全質量を基準として、約0.1質量％〜約20質量％の量で存在し、場合により該パーソナルケアクレンジング組成物は、約1質量％〜約60質量％の界面活性剤、水及び界面活性剤以外の任意的な追加の成分を含む。
17. 番号付けパラグラフ16に従うパーソナルケアクレンジング組成物であって、該無機粒子状物質は、約0.5質量％〜約5質量％の量で存在する。
【００２９】
18. 先行する番号付けパラグラフのいずれかに記載のパーソナルケアクレンジング組成物であって、更に1種又はそれ以上の、界面活性剤(1又は複数)、増粘剤(1又は複数)、懸濁剤(1又は複数)、スキンコンディショニング/モイスチャーライジング剤(1又は複数)、ヘアコンディショニング/モイスチャーライジング剤(1又は複数)、香料(1又は複数)、芳香剤(1又は複数)、乳白剤(1又は複数)、真珠光沢剤(1又は複数)、着色剤(1又は複数)、防腐剤(1又は複数)、キレート剤(1又は複数)、保湿剤(1又は複数)、ハーブ及び/又は植物抽出物(1又は複数)、エッセンシャルオイル(1又は複数)、タンパク質(1又は複数)、pH調節剤(1又は複数)、及び抗菌剤(1又は複数)を含む。
19. 先行する番号付けパラグラフのいずれかに記載のパーソナルケアクレンジング組成物であって、該化粧学的に許容されるベースはゲルである。
20. 番号付けパラグラフ19に従うパーソナルケアクレンジング組成物であって、該スキンクレンジング組成物は、シャワージェル又はバスジェルである。
21. 先行する番号付けパラグラフ1〜18のいずれか一つに記載のパーソナルケアクレンジング組成物であって、該パーソナルケア組成物は、ヘアシャンプー、例えばフケ防止シャンプーであり、かつ該化粧学的に許容されるベースは、ヘアシャンプーにおいて使用するのに適した成分を含む。
22. 先行する番号付けパラグラフ1〜21のいずれか一つに記載のパーソナルケアクレンジング組成物を含む、商業活動に適した包装された製品。
23. 先行する番号付けパラグラフ1〜17のいずれか一つにおいて定義された如き無機粒状物質の、ゲルを含むパーソナルケアクレンジング組成物、例えばシャワージェルにおける使用。
【００３０】
24. 番号付けパラグラフ23に記載の使用であって、該無機粒状物質は、スクラブ感、皮膚剥離、又はこれら両者を与える。
25. 先行する番号付けパラグラフ1〜17のいずれか一つにおいて定義された如き無機粒子状物質の、ヘアシャンプー、例えばフケ防止シャンプーにおける使用。
26. 請求項25に記載の使用であって、該無機粒状物質は、頭皮の皮膚の剥離を促進し、又は該剥離をもたらす。
27. フケを処置し、又は予防する方法であって、該方法は、有効量の、番号付けパラグラフ21に従うヘアシャンプーを、フケが処置され又は予防されるように、局所的適用により投与する工程を含む。
28. フケを処置し、又は予防する際に使用するための、番号付けパラグラフ21に従うヘアシャンプーであって、場合により、そのフケ防止性化学薬品(1又は複数)と無機粒状物質との組合せは、フケの処置における相乗的改善を与える。
29. 番号付けパラグラフ27に従う方法又は番号付けパラグラフ28に従って使用するためのヘアシャンプーであって、該ヘアシャンプーは、所定期間に渡り、例えば1週間、又は2週間、又は3週間、又は丸一ヵ月に渡り、局所的に適用される。
30. 請求項1〜21のいずれか一つに従うパーソナルケアクレンジング組成物の製造方法であって、該方法は、適当な量にて、化粧学的に許容されるベース、例えばゲルと、請求項1〜21のいずれか一つにおいて定義された如き無機粒状物質とを混合せる工程を含む。
【００３１】
第二の一般的な局面
ここにおいて使用される用語「クリーニング組成物」とは、硬質表面及び/又は食卓用食器と適合する組成物を意味する。特定の態様において、該クリーニング組成物は、硬質表面クレンジング組成物又は食卓用食器クレンジング組成物である。本発明に従う組成物が、施釉及び非施釉セラミックタイル、ホウロウ、ステンレススチール、イノックス(InoxTM)、フォルミカ(FormicaTM)、ビニル、蝋引きのない(no-wax)ビニル、リノリウム、メラミン、ガラス、プラスチック、テフロン(TeflonTM)、塗装面等のような様々な材料でできた無生物表面を洗浄/清浄化するのに使用し得ることは、本発明の組成物の一利点である。
ここにおいて使用される如き用語「硬質表面クレンジング組成物」又は「食卓用食器クレンジング組成物」とは、固体(例えば、粉末)、又は液体、例えば水及びベース(例えば、液体石鹸)からなるゲルを含む組成物を意味する。液状組成物は、水-様の粘度を有する組成物並びに増粘化された組成物、例えばゲル及びペーストを含む。
ここにおける特定の態様において、ここにおける上記組成物は、中性組成物であり、またそれ故に6〜8、より好ましくは6.5〜7.5、より一層好ましくは7という、25℃にて測定された如きpHを有する。他の態様において、該組成物はpH4以上のpHを持ち、あるいはまたpH10以下のpHを有する。特定の態様において、該クリーニング組成物は、7〜9のpH、例えば約8というpHを有する。
従って、ここにおける組成物は、そのpHを調整するために、適当な塩基及び酸を含むことができる。
【００３２】
ここにおいて使用される適当な塩基は、有機及び/又は無機塩基である。ここにおいて使用するのに適した塩基は、苛性アルカリ、例えば水酸化ナトリウム、水酸化カリウム及び/又は水酸化リチウム、及び/又はアルカリ金属酸化物、例えば酸化ナトリウム及び/又はカリウム又はこれらの混合物である。幾つかの態様において、該塩基は苛性アルカリ、より好ましくは水酸化ナトリウム及び/又は水酸化カリウムである。他の適当な塩基はアンモニア、炭酸アンモニウム、あらゆる利用可能な炭酸塩、例えばK2CO3、Na2CO3、CaCO3、MgCO3等、アルカノールアミン(例えば、モノ-エタノールアミン等)、ウレア及びウレア誘導体、ポリアミン等を包含する。
存在する場合、このような塩基の典型的なレベルは、該組成物全体の0.01%〜5.0%、好ましくは0.05%〜3.0%及びより好ましくは0.1%〜0.6質量%である。
ここにおける上記組成物は、そのpHを要求されるレベルに調節するために、酸を含むことができ、たとえ幾分か存在したとしても、酸の存在にも拘らず、ここにおける該組成物は、ここにおいて上記した如く、その中性乃至アルカリpH、好ましくはアルカリpHを維持するであろう。ここにおいて使用するのに適した酸は有機及び/又は無機酸である。ここにおいて使用するのに好ましい有機酸は、6未満のpKaを有する。適当な有機酸は、クエン酸、乳酸、グリコール酸、琥珀酸、グルタル酸及びアジピン酸及びこれらの混合物からなる群から選択される。該酸の混合物は、バスフ(BASF)社からソカラン(SokalanTM) DCSの商品名の下に市場で入手できる。適当な無機酸は、塩酸、硫酸、リン酸及びこれらの混合物からなる群から選択される。
存在する場合、このような酸の典型的なレベルは、該組成物全体の0.01%〜5.0%、好ましくは0.04%〜3.0%及びより好ましくは0.05%〜1.5質量%である。
【００３３】
本発明に従う一態様において、ここにおける上記組成物は増粘化された組成物である。好ましくは、ここにおける該液状組成物は、ステンレススチールで包まれた4cmの円錐形スピンドル、角度2°を用いて、レオメータモデル(Rheometer)モデルAR 1000(TAインスツルメンツ(TA Instruments)により供給されている)(0.1〜100sec-1の線形増加、最大8分)で測定した場合に、20s-1において7,500cpsまで、20s-1及び20℃において、より好ましくは5,000cps〜50cps、より一層好ましくは2,000cps〜50cps及び最も好ましくは1,500cps〜300cpsの粘度を有する。
本発明に従うもう一つの態様において、ここにおける上記組成物は、水-様の粘度を有する。「水-様の粘度(water-like viscosity)」との用語により、ここでは、水の粘度に近い粘度を意味する。好ましくは、ここにおける該液状組成物は、ブルックフィールド(Brookfield)ディジタルビスコメータモデルDV IIにより、スピンドル2を用いて測定した場合に、60rpmにおいて50cpsまで、60rpm及び20°Cにおいて、より好ましくは0cps〜30cps、より一層好ましくは0cps〜20cps及び最も好ましくは0cps〜10cpsの粘度を有する。
ここにおいて使用される用語「ゲル」とは、ゲル-様の特性、例えば静置させた際の低い又は無視し得る流動を示す相、又は低粘度を有する液相を含む。例えば、ゲルは、液体中に分散された固体のコロイド状懸濁液又はゾルであり得る。特定の態様において、該ゲルは、少なくとも約0.5Pa.s(100rpmにて、RVスピンドル6)及び場合により約100Pa.s以下(1rpmにて、RVスピンドル6)のブルックフィールド粘度を有する。付随的にあるいはまた、該ゲルは、約0.9〜約1.2、例えば約1.0〜約1.1の範囲の比重を有することができる。特定の態様において、該ゲルは、水及び洗浄剤ベースのエマルションである。該洗浄剤ベースは、ここにおいて記載した如く、界面活性剤又は界面活性剤混合物を含むことができる。特定の態様において、該ゲルはチキソトロープ性であり得、即ち静止した際にゲル-様であるが、攪拌した場合(例えば、振盪又は圧縮した場合)には流体となり得る。
上記クリーニング組成物(例えば、硬質表面クレンジング組成物又は食卓用食器クレンジング組成物)は、商業活動に適した包装製品(例えば、タブ、チューブ、ボトル、パケット、サシェ、キャニスター、ディスペンサ等)の状態で提供することができる。
【００３４】
上記無機粒状物質
予想外なことには、本発明の上記第一の局面に従う無機粒状物質が、クリーニング組成物に含めた場合に、穏やかなスクラビング作用(scrubbing action)特性を与えることを見出した。特定の態様において、該無機粒状物質は、適度に研磨性であることが分かった。ここに記載される特定の態様において、該無機粒子状物質は、実質的に中空の球又は微小球の形状にある。特定の態様において、継続する機械的作用は、該中空球又は微小球を破壊し、該クリーニング組成物の穏やかなスクラビング作用を更に強化する。
特定の態様において、上記無機粒状物質は、球状パーライト、アルミナ(例えば、球状アルミナ)、バーミキュライト、ネフェリン及びこれらの混合物からなる群から選択される。
特定の態様において、上記無機粒状物質は、(i) 球状パーライト；又は(ii) アルミナ(例えば、球状アルミナ)；又は(iii) バーミキュライト；又は(iv) ネフェリンを含み、これらから本質的になり、あるいはこれらからなる。
特定の態様において、上記無機粒状物質は、球状パーライト、アルミナ及びこれらの混合物からなる群から選択される。
特定の態様において、上記無機粒状物質は、球状パーライト、球状アルミナ及びこれらの混合物からなる群から選択される。
【００３５】
特定の態様において、上記無機粒状物質は球状パーライトを含み、これから本質的になり、あるいはこれからなる。「球状」との用語は、該無機粒状物質の個々の粒子が、一般的に(しかし、必ずしも幾何学的に規則的である必要はない)球状、回転楕円形及び/又は卵形の形態、即ち光学顕微鏡(例えば、キーエンス(Keyence) VHX-1000)を用いて見られるように、一般的に角の無い形態を有することを意味する。例えば、球状の粒子は、1.15又はそれ未満、又は1.10又はそれ未満、又は1.05又はそれ未満の真円度を有することができる。粒子状物質の真円度は、以下の方法に従って決定することができる。粒子状物質サンプルの画像を、対照的な背景上で、光学顕微鏡(例えば、キーエンス(Keyence) VHX-100)を用いて撮影する。次いで、該画像を、ドイツ国ゾルムスのライカマイクロシステムズ(Leica Microsystems, Solms, Germany)による、ライカLAS画像解析ソフトウエア(Leica LAS Image Analysis Software) (http://www.leica-microsystems.com/products/microscope-software/materials-sciences/details/product/leica-las-image-analysis/downloads/を参照)を用いて、転写し、かつ開く。約100粒子からなるサンプルを、次に丸く線で描き、かつ該ソフトウエアによりその真円度を計算する。
特定の態様において、上記球状パーライトは、発泡パーライトである。典型的に、発泡パーライトは、1又はそれ以上の気泡、又は気泡を有する部分を含み、ここにおいて一つの気泡は、部分的に又は完全にガラス壁で囲まれた気孔空間であり、通常は該ガラスが軟化された状態にある場合には、ガスの膨張によって形成される。パーライトを膨張させるための方法は、当分野において周知であり、また膨張炉内で、最低で約700℃、典型的には800℃〜1,100℃の間の温度まで、空気中でパーライトを加熱する工程を含む。発泡パーライトを製造するための典型的な方法は、US-A-20060075930に記載されている。その全内容を、言及することによりここに組入れる。発泡パーライトは、典型的に発泡されていない材料の嵩容積の20倍までの嵩容積を有する。
【００３６】
特定の態様において、上記球状パーライトは、微小球の形状にある。該微小球は、中空又は中実であり得る。特定の態様において、該微小球は中空であり、例えば実質的に閉じられかつ中空である。特定の態様において、該微小球は、実質的に独立気泡構造、例えば通常空気で満たされた封止されたキャビティーである。特定の態様において、該パーライトの少なくとも50質量％は微小球の形状にあり、例えば該パーライトの少なくとも約60質量％、又は少なくとも約70質量％、又は少なくとも約80質量％、又は少なくとも約90質量％、又は少なくとも約95質量％、又は少なくとも約99質量％、又は実質上100質量％が、微小球の形状にある。微小球形状のパーライトは、WO-A-2013053635において記載された方法に従って製造し得る。該文書の全内容を、言及することによりここに組入れる。一般的に、この方法において、パーライト鉱石及びプロペラント(propellant)は、縦型炉に供給され、該炉の炉シャフト内の多重加熱ゾーンを通して、ドロップセクション(drop section)に沿って落下する。該パーライト鉱石は、該パーライトの表面が可塑化され、かつパーライト粒子が該プロペラントに基いて発泡される、臨界温度まで加熱される。
特定の態様において、上記球状パーライトは、これが発泡球状又は発泡微小球形状にあれば、粉砕されておらず、即ち該球状パーライトは発泡され、粉砕されたパーライトではない。
特定の態様において、上記無機粒状物質は、アルミナ(例えば、球状アルミナ)を含み、これから本質的になり、又はこれからなり、場合によって約3.9g/ccを超える密度を有する、非-球形及び非-微小球型の溶融アルミナを排除する。特定の態様において、該アルミナは高純度のものであり、典型的に、化学分析に基づいて、少なくとも約95％のアルミナ、又は少なくとも約98.0％のアルミナ、又は少なくとも約98.5％のアルミナ、又は少なくとも約99.0％のアルミナ、又は少なくとも約99.5％のアルミナを含む。
【００３７】
上記無機粒状物質がアルミナを含み、これから本質的になり、又はこれからなる特定の態様において、該アルミナは実質的に球状アルミナである。
特定の態様において、上記アルミナは、微小球の形状にあり、該微小球は実質的に閉じられており、かつ中空であり得る。特定の態様において、該アルミナの少なくとも50質量％は微小球の形状にあり、例えば該アルミナの少なくとも約60質量％、又は少なくとも約70質量％、又は少なくとも約80質量％、又は少なくとも約90質量％、又は少なくとも約95質量％、又は少なくとも約99質量％、又は実質的に100質量％が、微小球の形状にある。模範的な微小球アルミナは、オーストリアのイメリスヒューズドミネラルズ(Imerys Fused Minerals, Austria)から入手し得る、アロデュール(Alodur)(RTM)バブルアルミナ(bubble alumina)である。しばしばアルミナバブルとも呼ばれている微小球アルミナは、当分野において公知の様々な方法により製造し得る。
特定の態様において、上記無機粒状物質及びそれ故に上記クリーニング組成物は、結晶性シリカを含まない。
特定の態様において、上記無機粒状物質は、約500μm以下、例えば約475μm以下、又は約450μm以下、又は約425μm以下、又は約400μm以下、又は約375μm以下、又は約350μm以下、又は約325μm以下、又は約300μm以下、又は約275μm以下、又は約250μm以下、又は約225μm以下、又は約200μm以下、又は約175μm以下、又は約150μm以下、又は約125μm以下、又は約100μm以下のd90を有する。
【００３８】
特に指定のない限り、上記無機粒状物質についてここにおいて言及される粒度特性は、シラス(CILAS)によって供給されるような、シラス(CILAS) 1064L粒度分析器を用いる、レーザー光散乱に係る分野において使用されている、周知の従来法によって(あるいは本質的に同一の結果を与える他の方法により)測定されるようなものである。該レーザー光散乱技術において、粉末、懸濁液及びエマルション中の粒子のサイズは、フラウンホーファー＆ミー(Fraunhofer and Mie)理論の適用に基いて、レーザービームの回折を利用して測定することができる。このような機械は、当分野において「球相当径(equivalent spherical diameter (e.s.d))」と呼ばれているサイズであって、与えられたe.s.d値よりも小さな一定のサイズを有する粒子の累積体積％の測定値及びプロットを与える。平均粒度d50は、該粒子e.s.dのこのようにして決定された値であり、この値において、そのd50値未満の球相当径を有する粒子が50体積％存在する。d10の値は、そこにおいて該粒子の10体積％が、そのd10値に満たないe.s.dを有する値である。d90の値は、そこにおいて、該粒子の90質量％が、そのd90値に満たないe.s.dを有する値である。d100の値は、そこにおいて、該粒子の100体積％が、そのd100値に満たないe.s.dを有する値である。d0の値は、そこにおいて、該粒子の0体積％が、そのd0値に満たないe.s.dを有する値である。従って、該d0測定値は、任意の与られたサンプル中の最小の粒子(該粒度分析器に係る測定限界内で)の尺度を与える。
特定の態様において、上記無機粒状物質は、少なくとも約10μm、例えば少なくとも約20μm、又は少なくとも約30μm、又は少なくとも約40μm、又は少なくとも約50μm、又は少なくとも約75μm、又は少なくとも約80μm、又は少なくとも約85μm、又は少なくとも約90μm、又は少なくとも約95μm、又は少なくとも約100μmのd10を有する。
【００３９】
特定の態様において、上記無機粒状物質は、少なくとも約10μmのd10及び約500μm以下のd90、例えば少なくとも約30μmのd10及び約500μm以下のd90、又は少なくとも約50μmのd10及び約500μm以下のd90、又は少なくとも約50μmのd10及び約475μm以下のd90、又は少なくとも約75μmのd10及び約475μm以下のd90、又は少なくとも約90μmのd10及び約475μm以下のd90、又は少なくとも約90μmのd10及び約450μm以下のd90を有する。該態様において、該無機粒状物質は、約25μm〜約350μm、例えば約50μm〜約350μm、又は約100μm〜約350μm、又は約150μm〜約350μm、又は約150μm〜約250μm、又は約150μm〜約200μm、又は約175μm〜約300μm、又は約175μm〜約250μm、又は約200μm〜約300μm、又は約200μm〜約275μm、又は約225μm〜約275μm、又は約250μm〜約350μm、又は約275μm〜約325μm、又は約25μm〜約100μm、又は約30μm〜約80μm、又は約50μm〜約100μm、又は約50μm〜約75μmのd50を有することができる。
特定の態様において、上記無機粒状物質は、約500μm以下のd100を有する。特定の態様において、該無機粒状物質は、少なくとも約1μm、又は少なくとも約5μm、又は少なくとも約10μmのd0を有する。
任意の特定の粒度分布を、当分野において公知の従来法、例えばスクリーニングにより得ることができる。例えば、スクリーニングは、ハーバー＆ボッカー(Haver & Bocker)により供給されるスクリーンを用い、ドイツ国ホサカワアルピン(Hosakawa Alpine, Germany)によって供給されるアルピン(Alpine) A-200ジェットシーブを用いて実施し得る。該スクリーンの開口は、必要とされる該粒度分布に依存して選択できる。例えば、100μm及び500μmという開口を有するスクリーンを、特に過大の粒子及び過小の粒子を除去し又は有意に減じることが望まれる場合には、使用することができる。
【００４０】
特定の態様において、上記無機粒状物質は、約0.10〜約4.0g/cc、例えば約0.10〜約3.8g/cc、又は約0.10〜約3.5g/cc、又は約0.10〜約3.2g/cc、又は約0.10〜約3.0g/cc、又は約0.10〜約2.5g/cc、又は約0.10〜約2.0g/cc、又は約0.10〜約1.9g/cc、又は約0.10〜約1.8g/cc、又は約0.10〜約1.7g/cc、又は約0.10〜約1.6g/cc、又は約0.10〜約1.5g/cc、又は約0.10〜約1.4g/cc、又は約0.10〜約1.3g/cc、又は約0.10〜約1.2g/cc、又は約0.10〜約1.1g/cc、又は約0.10〜約1.0g/cc、又は約0.10〜約0.9g/cc、又は約0.10〜約0.8g/cc、又は約0.10〜約0.7g/cc、又は約0.10〜約0.6g/cc、又は約0.10〜約0.5g/cc、又は約0.10〜約0.4g/cc、又は約0.20〜約0.6g/cc、又は約0.20〜約0.5g/cc、又は約0.20〜約0.4g/cc、又は約0.25〜約0.4g/cc、又は約0.30〜約0.4g/ccの密度を有する。
特定の態様において、上記無機粒子状物質は、発泡球状パーライトの微小球を含み、これらから本質的になり、又はこれらからなり、該微小球は、少なくとも約10μmのd10及び約150μm以下のd90、例えば少なくとも約15μmのd10及び約135μm以下のd90、又は少なくとも約20μmのd10及び約115μm以下のd90、又は少なくとも約20μmのd10及び約100μm以下のd90を有する。このような態様において、該無機粒子状物質(即ち、パーライト)は、約0.20〜約2.50g/cc、例えば約1.00〜約2.25g/cc、又は約1.50〜約2.25g/cc、又は約1.75〜約2.25g/cc、又は約1.80〜約2.10g/cc、又は約1.90〜約2.00g/ccという密度を有することができる。特定の態様において、このような無機粒状物質(即ち、発泡球状パーライトの微小球)を含むクリーニング組成物は、該無機粒状物質のない匹敵するクリーニング組成物に対して、少なくとも約90％の摩損性(20°における光沢の％)、例えば約90％〜約97％、又は約92〜約96％の摩損性を有する。
摩損性は、ここにおいて記載される方法に従って測定し得る。かかる態様において、発泡球状パーライトの微小球は、約25μm〜約100μm、又は約50〜約75μmのd50を有することができる。
【００４１】
特定の態様において、上記無機粒子状物質は、発泡球状パーライトの微小球を含み、これらから本質的になり、又はこれらからなり、また少なくとも約50μmのd10及び約450μm以下のd90、例えば少なくとも約70μmのd10及び約420μm以下のd90、又は少なくとも約80μmのd10及び約350μm以下のd90、又は少なくとも約80μmのd10及び約300μm以下のd90を有する。かかる態様において、該無機粒子状物質(即ち、パーライト)は、約0.20〜約1.00g/cc、例えば約0.30〜約0.70g/cc、又は約0.35〜約0.65g/ccの密度を有することができる。該無機粒子状物質は、約150μm〜約300μm、例えば約150μm〜約200μm、又は約200μm〜約300μm、又は約225μm〜約275μm、又は約240μm〜約270μmのd50を有することができる。
特定の態様において、上記無機粒子状物質は、アルミナ、例えば化学分析に基く、少なくとも98％の純度を有する球状アルミナの微小球を含み、これらから本質的になり、又はこれらからなり、またこれらは少なくとも約50μmのd10、例えば少なくとも約100μmのd10及び約450μm以下のd90を有する。このような態様において、該無機粒状物質(即ち、球状アルミナ)は、約3.0〜約3.8g/cc、例えば約3.0〜約3.5g/cc、又は約3.1〜約3.4g/cc、又は約3.0〜約3.2g/cc、又は約3.2〜約3.4g/cc、又は約3.5〜約3.7g/ccの密度を有することができる。
【００４２】
上記無機粒状物質(即ち、球状アルミナ)は、少なくとも約130μmのd10及び/又は約400μm以下のd90、又は少なくとも約140μmのd10及び約395μm以下のd90を有することができる。該無機粒状物質は、更に約200μm〜約300μm、例えば約240μm〜約270μm、又は約250μm〜約260μmのd50を有することができる。該無機粒状物質は、少なくとも約50μmのd10及び/又は約250μm以下のd90を有することができ、また更に約100μm〜約200μmのd50を有することができる。例えば、該無機粒状物質は、少なくとも約50μmのd50、約225μm以下又はさらには約210μm以下のd90、及び約125μm〜約175μm、例えば約140μm〜約160μmのd50を有することができる。
上記の無機粒状物質を含むクリーニング組成物は、その摩損性により特徴付けられる。これは、実施例において記載される研磨剤スクラブテスト法に従って測定し得る。特定の態様において、該無機粒状物質を含むクリーニング組成物は、約30%〜約99%、又は約35%〜約90%、又は約40%〜約90%未満、又は約50%〜約85%、又は約60%〜約85%、又は約70%〜約80%、又は約80%〜約85%という、20°において維持される光沢の百分率として表される摩損性を有する。特定の態様において、該無機粒状物質を含むクリーニング組成物は、約75％に等しいか又はこれを超え、例えば約80％に等しいか又はこれを超え、又は約85％に等しいか又はこれを超え、又は約90％に等しいか又はこれを超える摩損性を有する。
特定の態様において、上記クリーニング組成物中に存在する無機粒状物質の全量は、該クリーニング組成物の全量を基準として、約0.01質量%〜約40質量%、例えば約0.05質量%〜約30質量%、又は約0.1質量%〜約20質量%、又は約0.1質量%〜約15質量%、又は約0.1質量%〜約10質量%、又は約0.1質量%〜約9.0質量%、又は約0.2質量%〜約8.0質量% 、又は約0.3質量%〜約7.0質量%、又は約0.4質量%〜約6.0質量%、又は約0.5質量%〜約5.0質量%、又は約0.5質量%〜約4.0質量%、又は約0.5質量%〜約3.0質量%、又は約0.5質量%〜約2.0質量%、又は約0.75質量%〜約5.0質量%、又は約0.75質量%〜約3.0質量%、又は約0.75質量%〜約2.5質量%、又は約1質量%〜約3.0質量%、又は約1.5質量%〜約5.0質量%、又は約2.0質量%〜約10質量%、又は約2.0質量%〜約5.0質量%、又は約2.5質量%〜約5質量%、又は約3.0質量%〜約10質量%、又は約3.0質量%〜約8質量%の量である。
特定の態様において、上記クリーニング組成物中に存在する無機粒状物質の全量は、該クリーニング組成物の全量を基準として、約0.1質量%〜約5.0質量%、例えば約0.5質量%〜約2.5質量%、又は約0.5質量%〜約1.5質量%の量である。
【００４３】
ベース及び追加の成分
特定の態様において、上記ベースは液体、ゲル、エマルション、ローション又はペーストの形状にある。特定の態様において、該ベースはゲルである。特定の態様において、該ベースは液体である。特定の態様において、上記洗浄剤ベースは、上記無機粒状物質以外の上記組成物の成分を含み又はこれを構成する。
従って、上記クリーニング組成物は、1種又はそれ以上の、ここに記載されるような追加の成分を含むことができる。
特定の態様において、上記クリーニング組成物は、該クリーニング組成物の全質量を基準として約10質量％〜約95質量％、例えば約20質量％〜約90質量％、又は約30質量％〜約90質量％、又は約40質量％〜約80質量％、又は約50質量％〜約75質量％、又は約50質量％〜約70質量％の量で存在し得る水を含むであろう。当業者は、最終的な組成物中の該成分の量に基いて、そのベース中に組入れるための適当な水の量を選択することができるであろう。
特定の態様において、上記クリーニング組成物は、1種又はそれ以上の界面活性剤を含む。ここにおいて記載されるように、該1種又はそれ以上の界面活性剤は、上記ゲルの洗浄剤ベースを構成し得る。該1種又はそれ以上の界面活性剤は、両性イオン型、アニオン性、ノニオン性及び両性界面活性剤、及びこれらの混合物から選択することができる。
特定の態様において、上記界面活性剤(1又は複数)は、上記クリーニング組成物の全質量を基準として、約1質量％〜約60質量％、例えば約5質量％〜約50質量％、又は約5質量％〜約30質量％の範囲の全量で該クリーニング組成物中に存在する。当業者は、最終的な組成物中の界面活性剤の量に基いて、そのベース中に組入れるための適当な界面活性剤の量を選択することができるであろう。
【００４４】
適当な両性イオン型界面活性剤は、脂肪族四級アンモニウム、ホスホニウム及びスルホニウム化合物の誘導体を含むが、これらに限定されず、ここにおいて該脂肪族基は、直鎖又は分岐鎖であり得、またここにおいて該脂肪族置換基の一つは、約8〜約18個の炭素原子を含み、かつ一つの置換基は、アニオン性の基、例えばカルボキシ、スルホネート、サルフェート、ホスフェート、又はホスホネートを含む。実例となる両性イオン型界面活性剤は、ココジメチルカルボキシメチルベタイン、ココアミドプロピルベタイン、ココベタイン、オレイルベタイン、セチルジメチルカルボキシメチルベタイン、ラウリルビス-(2-ヒドロキシエチル)カルボキシメチルベタイン、ステアリルビス-(2-ヒドロキシプロピル)カルボキシメチルベタイン、オレイルジメチルγ-カルボキシプロピルベタイン、ラウリルビス-(2-ヒドロキシプロピル)α-カルボキシエチルベタイン、及びこれらの混合物である。該スルホベタインは、ステアリルジメチルスルホプロピルベタイン、ラウリルジメチルスルホエチルベタイン、ラウリルビス-(2-ヒドロキシエチル)スルホプロピルベタイン、及びこれらの混合物を含むことができる。
適当なアニオン性界面活性剤は、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセライドナトリウムサルフェート(lauric monoglyceride sodium sulfate)、ラウリル硫酸ナトリウム、ラウレス硫酸ナトリウム、ラウレス硫酸カリウム、ナトリウムラウリルサルコシネート、ナトリウムラウロイルサルコシネート、ラウリル硫酸カリウム、トリデセス硫酸ナトリウム、ナトリウムメチルラウロイルタウレート、ナトリウムラウロイルイセチオネート、ナトリウムラウレススルホサクシネート、ナトリウムラウロイルスルホサクシネート、ナトリウムトリデシルベンゼンスルホネート、ナトリウムドデシルベンゼンスルホネート、ナトリウムラウリルアンホアセテート、ナトリウムラウリルスルホアセテート、ナトリウムココイルイセチオネート、ナトリウムメチルココイルタウレート及びこれらの混合物を含むが、これらに限定されない。該アニオン性界面活性剤は、例えば脂肪族スルホネート、例えば一級C8-C22アルカンスルホネート、一級C8-C22アルカンジスルホネート、C8-C22アルケンスルホネート、C8-C22ヒドロキシアルカンスルホネート又はアルキルグリセリルエーテルスルホネートであってもよい。
【００４５】
適当なノニオン性界面活性剤は、疎水性の基と反応性の水素原子とを有する化合物の反応生成物を含む。これらは、アルケンオキサイド、特にエチレンオキサイド単独又はプロピレンオキサイドと共に反応させたアルコール、酸、アミド又はアルキルフェノールを含む。模範的なノニオン性界面活性剤は、C6-C22アルキルフェノール-エチレンオキサイド縮合物、C8-C18脂肪族一級又は二級の直鎖又は分岐鎖アルコールと、エチレンオキサイドとの縮合生成物、及びエチレンオキサイドと、プロピレンオキサイド及びエチレンジアミンの反応生成物との縮合により製造される生成物である。その他のノニオン性界面活性剤は、長鎖三級アミンオキサイド、長鎖三級ホスフィンオキサイド及びジアルキルスルホキシドを含む。他のノニオン性界面活性剤は、ココアミドをベースとする及びココアミドとアルコールアミン、例えばエタノールアミンとを反応させることにより製造される界面活性剤である。模範的なノニオン性界面活性剤は、ココアミドMEA及びココアミドDEAを含む。他の適当なノニオン性界面活性剤は、アルキルポリグルコシド、例えばデシルグルコシド、ラウリルグルコシド及びオクチルグルコシドを含む。同様に有用なものは、アルキルポリサッカライドである。
適当なカチオン性界面活性剤は、オクテニジン二塩酸塩、永続的に帯電した四級アンモ二ウム界面活性剤、例えばアルキルトリメチルアンモニウム塩(例えば、セチルトリメチルアンモニウムブロミド、セチルトリメチルアンモニウムクロリド)、セチルピリジニウムクロリド、ベンザルコニウムクロリド、ベンゼトニウムクロリド、5-ブロモ-5-ニトロ-1,3-ジオキサン、ジメチルジオクタデシルアンモニウムクロリド、セトリモニウムブロミド、及びジオクタデシルジメチルアンモニウムブロミドを含むが、これらに限定されるものではない。
これら界面活性剤は、主としてクレンジング剤として役立ち、即ち上記組成物の上記洗浄剤成分の一部を構成又は形成する。これら界面活性剤は、該組成物の全質量を基準として、該組成物の約50質量%まで、例えば該組成物の1質量%〜約45質量%、又は該組成物の少なくとも約5質量%、又は少なくとも約10質量%、又は少なくとも約15質量%、又は少なくとも約20質量%、又は少なくとも約25質量%を構成し得る。
【００４６】
特定の態様において、上記クリーニング組成物は、該クリーニング組成物の全質量を基準として、約2〜約20質量％のアニオン性界面活性剤及び0〜10質量％のノニオン性界面活性剤、例えば約5〜約15質量％のアニオン性界面活性剤及び約0.1〜約5質量％のノニオン性界面活性剤を含む。
特定の態様において、上記クリーニング組成物は、1種又はそれ以上の増粘剤又は懸濁剤(例えば、レオロジー調節剤)を含む。このような薬剤は、上記ゲル全体に分散された上記無機粒状物質の安定性を高めることができる。適当な増粘剤は、典型的に約100,000ダルトンを超える分子量を有する、カチオン性、アニオン性、両性又はノニオン性であり得る、水溶解性/分散性ポリマーを含む。このような薬剤は、同様に該クリーニング組成物の粘度を増大するように働く可能性がある。模範的な増粘又は懸濁剤は、炭水化物ガム、例えばセルロースガム、ミクロクリスタリンセルロース、セルロースゲル、ヒドロキシエチルセルロース、ヒドロキシプロピルセルロース、ナトリウムカルボキシメチルセルロース、メチルセルロース、エチルセルロース、グアーガム、カラヤガム、トラガカンスゴム、アラビアガム、アカシアガム、ガム寒天、ザンタンガム及びこれらの混合物；変性及び未変性デンプン顆粒及びα化冷水溶解性デンプン；エマルションポリマー；カチオン性ポリマー、例えば変性ポリサッカライド；カチオン性変性セルロース；合成カチオン性ポリマー；カチオン性デンプン；カチオン性ガラクトマンナン；及び高分子量ポリエチレングリコール、エチレングリコールのエステル又はポリエチレングリコールのエステルを含む。他の適当な増粘/懸濁剤は、例えばポリアクリル酸、アクリル酸のコポリマー及び架橋ポリマー、アクリル酸と疎水性モノマーとのコポリマー、カルボン酸含有モノマーとアクリル酸エステルとのコポリマー、アクリル酸とアクリレートエステルとの架橋コポリマーを含む。
【００４７】
増粘剤又は懸濁剤、例えばレオロジー調節剤は、存在する場合、上記クリーニング組成物の全質量を基準として、約0.1質量％〜約50質量％、例えば約0.1質量％〜約35質量％、又は約0.1質量％〜約20質量％、又は約0.1質量％〜約10質量％、又は約0.1質量％〜約5質量％という全量で存在し得る。当業者は、最終的な組成物中の該成分の量に基いて、そのベース中に組入れるべき各成分の適量を選択することができるであろう。
上記クリーニング組成物は他の成分を含むことができ、これらは、限定なしに、コンディショニング/モイスチャーライジング剤、香料、芳香剤、乳白剤、真珠光沢剤、着色剤、防腐剤、キレート剤、保湿剤、ハーブ及び/又は植物抽出物、エッセンシャルオイル、タンパク質、pH調節剤、及び抗菌剤を含む。他の成分の全量は、該クリーニング組成物の全質量を基準として、約0.1〜約30質量％、例えば約0.1質量％〜約20質量％、又は約0.1質量％〜約15質量％、又は約0.5質量％〜約10質量％、又は約1質量％〜約10質量％、又は約1質量％〜約5質量％の量で存在し得る。当業者は、最終的な組成物中の該成分の量に基いて、そのベース中に組入れるための各成分の適量を選択することができるであろう。
【００４８】
クリーニング組成物の製造方法
本発明に係る特定の態様に従うクリーニング組成物は、硬質表面クリーニング組成物等のクリーニング組成物の従来の製造方法によって製造することができる。
一般的に、ゲルベースの組成物について、上記無機粒状物質は、該ゲルと無機粒状物質とを、適切な量で混合せることにより、該ゲル中に組入れられる。この混合せ段階は、混合、例えば剪断混合を含むことができる。該無機粒状物質の混合せ前、その間又はその後に、あらゆる追加の成分を、該ゲルベースに添加し得る。該ゲルが界面活性剤及び水のエマルションである場合、通常は該エマルションを先ず製造し、次いで該無機粒状物質及びあらゆる他の追加の成分と混合せる。
上記ゲルベースのクリーニング組成物は、従来のクリーニング組成物と同様な方法で使用することができ、即ち適切な量の該組成物を、湿潤した又は洗浄した表面に適用し、かつ該組成物をすり込む。
誤解を避けるために、本件出願は、以下の番号付けしたパラグラフに記載されている趣旨を対象とする：
【００４９】
1. クリーニング組成物であって、以下の成分を含む：
ベース；及び
球状パーライト、アルミナ、バーミキュライト、ネフェリン及びこれらの混合物からなる群から選択される無機粒状物質。
2. 番号付けパラグラフ1に従うクリーニング組成物であって、そのベースは洗浄剤を含有する。
3. 番号付けパラグラフ1又は2に従うクリーニング組成物であって、その球状パーライトは、発泡パーライトであり、場合により該発泡パーライトは粉砕されていない。
4. 先行する番号付けパラグラフのいずれかに従うクリーニング組成物であって、その球状パーライトは微小球を含み、例えば該球状パーライトの少なくとも80％が微小球である。
5. 番号付けパラグラフ4に従うクリーニング組成物であって、その微小球は、実質的に閉じられており、かつ中空である。
6. 先行する番号付けパラグラフのいずれかに従うクリーニング組成物であって、その無機粒子状物質は、約500μm以下の、例えば約400μm以下のd90を有する。
7. 番号付けパラグラフ6に従うクリーニング組成物であって、その無機粒状物質は、少なくとも約10μmのd10及び約500μm以下のd90、例えば少なくとも約10μmのd10及び約400μm以下のd90を有する。
8. 先行する番号付けパラグラフのいずれかに従うクリーニング組成物であって、その無機粒状物質は、約0.10〜約4.0g/ccの密度を有する。
9. 先行する番号付けパラグラフのいずれかに従うクリーニング組成物であって、その無機粒状物質は、約0.10〜約2.0g/cc、例えば約0.10〜約1.0g/ccの密度を有する。
10. 番号付けパラグラフ8に従うクリーニング組成物であって、その無機粒状物質は、約1.50〜約2.50g/ccの密度を有する。
【００５０】
11. 番号付けパラグラフ9に従うクリーニング組成物であって、その無機粒状物質は、約0.20〜約0.70g/ccの密度を有する。
12. 番号付けパラグラフ1に従うクリーニング組成物であって、その無機粒子状物質は、発泡球状パーライトの微小球を含み、これらから本質的になり、又はこれらからなり、かつ少なくとも約10μmのd10及び約450μm以下のd90を有し、また場合により約0.20〜約0.70g/cc又は約1.50〜約2.50g/ccの密度を有する。
13. 番号付けパラグラフ12に従うクリーニング組成物であって、その無機粒状物質は、約180μm〜約280μmのd50を有する。
14. 番号付けパラグラフ1に従うクリーニング組成物であって、その無機粒子状物質は、約30μm〜約80μmのd50を有する。
15. 番号付けパラグラフ1に従うクリーニング組成物であって、その無機粒子状物質は、アルミナの微小球を含み、これらから本質的になり、又はこれらからなり、また少なくとも約50μmのd10及び約450μm以下のd90を有し、また場合により約3.0〜約3.8g/ccの密度を有する。
16. 番号付けパラグラフ1に従うクリーニング組成物であって、その無機粒状物質は、アルミナの微小球を含み、これらから本質的になり、又はこれらからなり、また少なくとも約150μmのd50及び/又は約200μm以下のd90を有する。
17. 先行する番号付けパラグラフのいずれかに従うクリーニング組成物であって、その無機粒子状物質は、該クリーニング組成物の全質量を基準として、約0.01質量％〜約20質量％の量で存在し、場合により該クリーニング組成物は、約1質量％〜約60質量％の界面活性剤、水及び界面活性剤以外の随意の追加の成分を含む。
【００５１】
18. 番号付けパラグラフ17に従うクリーニング組成物であって、その無機粒子状物質は、約0.5質量％〜約5質量％の量で存在する。
19. 先行する番号付けパラグラフのいずれかに従うクリーニング組成物であって、更に1種又はそれ以上の、界面活性剤(1又は複数)、増粘剤(1又は複数)、懸濁剤(1又は複数)、コンディショニング/モイスチャーライジング剤(1又は複数)、香料(1又は複数)、芳香剤(1又は複数)、乳白剤(1又は複数)、真珠光沢剤(1又は複数)、着色剤(1又は複数)、防腐剤(1又は複数)、キレート剤(1又は複数)、保湿剤(1又は複数)、ハーブ及び/又は植物抽出物(1又は複数)、エッセンシャルオイル(1又は複数)、タンパク質(1又は複数)、pH調節剤(1又は複数)、及び抗菌剤(1又は複数)を含む。
20. 先行する番号付けパラグラフのいずれかに従うクリーニング組成物であって、そのベースはゲルである。
21. 番号付けパラグラフ1に従うクリーニング組成物であって、該クリーニング組成物は硬質表面クレンジング組成物又は食卓用食器クレンジング組成物である。
22. 番号付けパラグラフ1〜21のいずれか一つに従うクリーニング組成物を含む、商業活動に適した包装された製品。
23. 番号付けパラグラフ1〜18のいずれか一つにおいて定義された如き無機粒状物質の、ベースを含むクリーニング組成物、例えば硬質表面クリーニング組成物における使用、ここにおいて場合により、該ベースはゲルである。
24. 番号付けパラグラフ23に従う使用であって、その無機粒状物質は、スクラビング作用を与える。
25. 番号付けパラグラフ1〜21のいずれか一つに従うクリーニング組成物の製造方法であって、該方法は、適切な量で、ベース、例えばゲルと、請求項1〜18のいずれか一つに定義した如き無機粒状物質とを混合せる工程を含む。
【００５２】
第三の一般的な局面
特定の態様において、上記組成物は、パーソナルケア組成物、例えばパーソナルケア製品である。該組成物がパーソナルケア組成物である他の態様において、そのベースは化粧学的に許容されるベースであろう。パーソナルケア組成物は、ヘア及び/又はスキンクレンジング組成物、例えばシャンプー(場合によりコンディショナーを含む)、液状石鹸を含む石鹸、例えばハンド-、フェース-及びボディーウォッシュ、シャワージェル、バスジェル及びシェービングフォーム又はジェルを含むが、これらに限定されない。
特定の態様において、上記組成物はヘアシャンプーである。該ヘアシャンプーは、コンディショニング/モイスチャーライジング成分を含むことができる。
特定の態様において、上記組成物はシェービングジェルである。特定の態様において、該組成物はシェービングフォームである。シェービングジェルとは異なり、シェービングフォームはプロペラント(例えば、ブタン又はプロパン)を含み、これは該フォームがその容器(例えば、カン)から計量分配された際に膨張かつ瞬間的に蒸発し、該フォームを泡で満たす。シェービングジェルは、その泡が、該ジェルを計量分配した際に即座に発生されない点において、後-発泡ジェルと見做すことができるが、適用中に、該ジェルはその使用者によって皮膚にすり込まれる。例えば、該後-発泡ジェル組成物は、1種又はそれ以上の以下のもの：石鹸、揮発性液状後-起泡剤、シリコーンコポリマー界面活性剤、水、及び第二のノニオン性界面活性剤を含むことができる。
【００５３】
特定の態様において、上記組成物は、皿洗い製剤、例えば液体又はジェル、例えば食器用液体洗剤(washing-up liquid)である。該皿洗い製剤は化粧学的に許容されるベースを含んでいても含まなくてもよい。特定の態様において、該ベースは化粧学的に許容されるベースである。特定の態様において、該ベースは、水及び洗浄剤、及び場合により芳香性成分、及び場合により着色剤を含むであろう。特定の態様において、該皿洗い製剤、例えば食器用液体洗剤は、手洗い用陶器類(例えば、典型的には何らかのセラミック材料、何らかの金属材料、又は何らかのプラスチック材料で作られた、プレート、皿、及び他の食事及び給仕用食器類)、食卓用金物類、ガラス製品、ガラス製品以外のコップ類(drinking vessels)、調理器具(例えば、ポット、ナベ、ベーキングトレー等)及び料理用具等に適している。
上記組成物は、更に1種又はそれ以上の以下の成分：増粘剤(1又は複数)、懸濁剤(1又は複数)、スキンコンディショニング/モイスチャーライジング剤(1又は複数)、ヘアコンディショニング剤(1又は複数)、香料(1又は複数)、芳香剤(1又は複数)、乳白剤(1又は複数)、真珠光沢剤(1又は複数)、着色剤(1又は複数)、防腐剤(1又は複数)、キレート剤(1又は複数)、保湿剤(1又は複数)、ハーブ及び/又は植物抽出物(1又は複数)、エッセンシャルオイル(1又は複数)、タンパク質(1又は複数)、pH調節剤(1又は複数)、及び抗菌剤(1又は複数)をも含むことができる。これらの成分は、該組成物の全質量を基準として、該組成物の約20質量％まで、例えば該組成物の約0.1質量％〜約15質量％、又は約1質量％〜約10質量％、又は約0.5質量％〜約5質量％を構成し得る。該組成物は、更に上記起泡剤以外の界面活性剤(1又は複数)を含むことができる。このような界面活性剤は、当業者には、如何なる識別し得る発泡特性をも持たないことが理解されている。これらの界面活性剤は、主として洗浄剤として働き、即ち該組成物の洗浄剤成分の一部を構成し又は形成する。これらの界面活性剤は、該組成物の全質量を基準として、該組成物の約30質量％まで、例えば該組成物の約1質量％〜約30質量％、あるいは該組成物の少なくとも約5質量％、又は少なくとも約10質量％、又は少なくとも約15質量％、又は少なくとも約20質量％、又は少なくとも約25質量％を構成し得る。ここに記載の如く、上に列挙した該1種又はそれ以上の成分は、該組成物のベース内に含めることができる。
【００５４】
上記組成物(例えば、パーソナルケア組成物又は食器洗い用(dishwashing)製剤)は、商業活動に適した包装製品(例えば、タブ、チューブ、ボトル、パケット、サシェ、キャニスター、ディスペンサ等)の状態で提供し得る。
使用に際して、上記組成物は、哺乳動物の身体(例えば、ヒトの身体)あるいは物品(即ち、陶器類、食卓用金物類等)への局所的適用中に、水の外部源(例えば、水道又はシャワーヘッドから、あるいは水盤又は水浴から)で希釈することができる。従って、該組成物を、約1質量％〜約99質量％の水、例えば約5質量％〜約90質量％、又は約5質量％〜約70質量％、又は約5質量％〜約50質量％の水で希釈することにより調製される希薄組成物が提供される。
【００５５】
上記無機粒状物質
意外なことに、本発明に係る第一の局面に従う無機粒状物質が、ベースと起泡剤とを含む組成物において、該組成物を局部的に適用した際に及び/又はその間中、泡の体積を増大し及び/又は該泡の平均バブルサイズを減じることによって、泡形成性を向上させることが分かった。換言すれば、該無機粒状物質は、該起泡剤の泡形成能力を高める。更に、無機粒状物質を含めることは、泡容積を失うことなく、あるいはこれを増大しさえしつつ、皮膚又は目に対する刺激物であり得る起泡剤、例えばラウレス硫酸ナトリウム(ラウレスエーテル硫酸ナトリウム(SLES)としても知られている)の量を減らすことを可能とする。
上記無機粒状物質は、約0.1μ〜約200μmのd50を有する。特定の態様において、該無機粒子状物質がパーライトを含み又はパーライトである場合、該パーライトは、約10μmを超え、例えば約25μmに等しいか又はこれを超えるd50を有する。特定の態様において、該無機粒状物質は、約0.5μm〜約150μm、例えば約1μm〜約125μm、又は約2μm〜約125μm、又は約3μm〜約125μm、又は約5μm〜約125μm、又は約10μm〜約125μm、又は約10μm〜約100μm、又は約10μm〜約90μm、又は約10μm〜約80μm、又は約10μm〜約70μm、又は約15μm〜約70μm、又は約20μm〜約60μm、又は約20μm〜約50μm、又は約20μm〜約45μm、又は約20μm〜約40μmのd50を有する。特定の態様において、該無機粒状物質は、約0.1μm〜約30μm、例えば約0.5μm〜約30μm、又は約1μm〜約30μm、又は約2μm〜約30μm、又は約1μm〜約25μm、又は約1μm〜約20μm、又は約1μm又は2μm〜約15μm、又は約1μm又は2μm〜約10μm、又は約5μm〜約15μmのd50を有する。
特定の態様において、上記無機粒状物質及びそれ故に上記組成物は、結晶性シリカを含まない。
【００５６】
特定の態様において、上記無機粒状物質は、約500μm以下、例えば約475μm以下、又は約450μm以下、又は約425μm以下、又は約400μm以下、又は約375μm以下、又は約350μm以下、又は約325μm以下、又は約300μm以下、又は約275μm以下、又は約250μm以下、又は約225μm以下、又は約200μm以下、又は約175μm以下、又は約150μm以下、又は約125μm以下、又は約100μm以下のd90を有する。特定の態様において、該無機粒状物質は、約90μm以下、例えば約80μm以下、又は約70μm以下、又は約60μm以下、又は約50μm以下のd90を有する。特定の態様において、該無機粒状物質は、約10μm〜約100μm、例えば又は約15μm〜約100μm、又は約20μm〜約100μm、又は約25μm〜約100μm、又は約30μm〜約100μm、又は約35μm〜約100μmのd90を有する。
特定の態様において、上記無機粒状物質は、約0.1μm〜約70μmのd50及び約10μm〜約100μmのd90、例えば約2μm〜約70μmのd50及び約10μm〜約100μmのd90を有する。
特定の態様において、上記無機粒状物質は、パーライト、アルカリ土類金属炭酸塩又は硫酸塩、例えば炭酸カルシウム、例えば天然の炭酸カルシウム及び/又は沈降炭酸カルシウム、炭酸マグネシウム、ドロマイト、石膏、アルミノケイ酸塩(例えば、カオリン、ハロイサイト又はボールクレー等の含水カンダイト、メタカオリン又は十分に焼成されたカオリン等の無水(焼成)カンダイトクレー)、タルク、マイカ、珪藻土、バーミキュライト、パミス、水酸化マグネシウム、アルミニウム三水和物、及びこれらの混合物からなる群から選択される。
【００５７】
特定の態様において、上記無機粒状物質はパーライトを含み又はパーライトである。該パーライトは実質的に球状のパーライトであり得る。「実質的に球状」との用語によって、該無機粒状物質の個々の粒子が、一般的に球状(しかし必ずしも幾何学的に規則的である必要はない)、回転楕円形及び/又は卵形の形態、即ち光学顕微鏡(例えば、キーエンス(Keyence) VHX-1000)を用いて見られるように、一般的に角の無い形態を有することを意味する。例えば、実質的に球状の粒子は、1.15又はそれ未満、又は1.10又はそれ未満、又は1.05又はそれ未満の真円度を有することができる。真円度を測定するための適当なテスト法は、該粒子状物質の画像を、対照的な背景上で、光学顕微鏡(例えば、キーエンス(Keyence) VHX-100)を用いて撮影することにより実施される。次いで、該画像を、ドイツ国ゾルムスのライカ(Leica, Solms, Germany)による、ライカ画像解析ソフトウエア(Leica Image Analysis Software)を用いて、転写し、かつ開く。次いで、該画像中の粒子を、丸く線で描き、かつその真円度を該ソフトウエアにより計算する。
特定の態様において、上記パーライトは、発泡パーライトである。典型的に、発泡パーライトは、1又はそれ以上の気泡、又は気泡を有する部分を含む。ここにおいて一つの気泡は、部分的に又は完全にガラス壁で囲まれた気孔空間であり、通常は該ガラスが軟化された状態にある場合には、ガスの膨張によって形成される。パーライトを膨張させるための方法は、当分野において周知であり、また膨張炉内で、少なくとも約700℃、典型的には800℃〜1,100℃の間の温度まで、空気中でパーライトを加熱する工程を含む。発泡パーライトを製造するための典型的な方法は、US-A-20060075930に記載されている。その全内容を、言及することによりここに組入れる。発泡パーライトは、典型的に発泡されていない該材料の嵩容積の20倍までの嵩容積を有する。特定の態様において、該実質的に球状のパーライトは、発泡パーライトである。特定の態様において、該パーライトは発泡粉砕パーライトである。
【００５８】
特定の態様において、上記パーライトは微小球の形状にあり、該微小球は、実質的に閉じられており、かつ中空であり得る。本発明の目的にとって、微小球は、ミクロンサイズの範囲にある球状粒子として定義される。これらは中空又は中実であり得る。特定の態様において、該気泡は実質的に中空、即ち実質的に独立気泡構造(例えば、通常空気で満たされた封止キャビティー)である。特定の態様において、該パーライトの少なくとも50質量％は微小球の形状にあり、例えば該パーライトの少なくとも約60質量％、又は少なくとも約70質量％、又は少なくとも約80質量％、又は少なくとも約90質量％、又は少なくとも約95質量％、又は少なくとも約99質量％、又は実質的に100質量％が、微小球の形状にある。微小球形状のパーライトは、WO-A-2013053635において記載された方法に従って形成し得る。該文書の全内容を、言及することによりここに組入れる。一般的に、この方法において、パーライト鉱石及びプロペラントは、縦型炉に供給され、該炉の炉シャフト内の多重加熱ゾーンを通して、ドロップセクションに沿って落下する。該パーライト鉱石は、その表面が可塑化され、かつパーライト粒子が該プロペラントに基いて発泡される、臨界温度まで加熱される。
特定の態様において、上記パーライトは、このものが球状、発泡、発泡球状又は発泡微小球形状であれば、粉砕されず、即ち該パーライトは発泡され、粉砕されたパーライトではない。
特定の態様において、上記パーライトは、このものが球状、発泡球状又は発泡微小球形状であれば、粉砕され、即ち該パーライトは発泡され、粉砕されたパーライトである。特定の態様において、該パーライトは、発泡微小球状パーライトではない。
特定の態様において、上記パーライトは、約10μmを超え約100μmまで、又は約10μmを超え約90μmまで、あるいは約10μmを超え約80μmまで、あるいは約10μmを超え約70μmまで、あるいは約15μm〜約70μm、あるいは約20μm〜約60μm、あるいは約20μm〜約50μm、あるいは約20μm〜約45μm、あるいは約20μm〜約40μmのd50を有する。
【００５９】
特定の態様において、上記パーライトは、約3μm〜約70μm、例えば約3μm〜約65μm、又は約3μm〜約60μm、又は約3μm〜約55μm、又は約3μm〜約50μm、又は約3μm〜約45μm、又は約3μm〜約40μm、又は約3μm〜約35μm、又は約3μm〜約30μm、又は約5μm〜約30μmのd50を有する。
特定の態様において、上記パーライトは、約3μm〜約30μmのd50を有する。
特定の態様において、上記無機粒状物質は、1種又はそれ以上のパーライト、珪藻土、カオリン及びタルクから選択され、例えば1種又はそれ以上のパーライト、珪藻土及びタルクから選択される。
特定の態様において、上記無機粒子状物質は、珪藻土を含み、又は珪藻土である。特定の態様において、該珪藻土は、約1μm〜約30μm、例えば約1μm〜約25μm、又は約1μm〜約20μm、又は約1μm又は2μm〜約15μm、又は約1μm又は2μm〜約10μm、約1μm又は2μm〜約5μm、又は約5μm〜約25μm、又は約10μm〜約25μm、又は約15μm〜約20μm、又は約15μm〜約20μm、又は約10μm〜約20μm、又は約10μm〜約15μmのd50を有する。
特定の態様において、該珪藻土は、約2μm〜約15μmのd50を有する。
上記無機粒状物質が珪藻土を含み、あるいは珪藻土である特定の態様において、上記組成物は着色剤(1又は複数)を含む。該着色剤(1又は複数)は、該組成物のベース(例えば、化粧学的に許容されるベース)中に組入れることができる。
特定の態様において、上記無機粒子状物質は、タルクを含み、又はタルクである。特定の態様において、該タルクは、約5μm〜約25μm、又は約5μm〜約20μm、又は約10μm〜約20μm、又は約10μm〜約15μmのd50を有する。
【００６０】
特定の態様において、上記無機粒状物質は、バーミキュライトを含み、又はバーミキュライトである。特定の態様において、該バーミキュライトは、約10μm〜約100μm、又は約10μm〜約90μm、又は約10μmを超え約80μmまで、又は約10μmよりも大きく約70μmまで、又は約20μm〜約70μm、又は約20μm〜約60μm、又は約30μm〜約60μm、又は約35μm〜約55μm、又は約40μm〜約50μmのd50を有する。
特定の態様において、上記無機粒状物質は、カオリンを含み、又はカオリンである。特定の態様において、該カオリンは約0.1〜約10μm、例えば約0.1μm〜約5μm、又は約0.1μm〜約2μm、又は約0.1μm〜約1μm、又は約0.2μm〜約0.8μm、又は約0.3μm〜約0.6μmのd50を有する。
特に指定のない限り、上記無機粒状物質についてここにおいて言及される粒度特性は、シラス(CILAS)によって供給されるような、シラス(CILAS) 1064L粒度分析器を用いる、レーザー光散乱に係る分野において使用されている、周知の従来法によって(あるいは本質的に同一の結果を与える他の方法により)測定されるようなものである。該レーザー光散乱技術において、粉末、懸濁液及びエマルション中の粒子のサイズは、フラウンホーファー＆ミー(Fraunhofer and Mie)理論の応用に基いて、レーザービームの回折を利用して測定することができる。このような機械は、当分野において「球相当径(e.s.d)」と呼ばれているサイズであって、与えられたe.s.d値よりも小さな、一定のサイズを有する粒子の累積体積％の測定値及びプロットを与える。平均粒度d50は、該粒子e.s.dのこのようにして決定された値であり、この値において、50体積％の、そのd50値未満の球相当径を有する粒子が存在する。d10の値は、そこにおいて該粒子の10体積％が、そのd10値に満たないe.s.dを有する値である。d90の値は、そこにおいて、該粒子の90質量％が、そのd90値に満たないe.s.dを有する値である。
任意の特定の粒度分布は、当分野において公知の従来法、例えばスクリーニングにより得ることができる。例えば、スクリーニングは、ハーバー＆ボッカー(Haver & Bocker)により供給されるスクリーンを用い、ドイツ国ホサカワアルピン(Hosakawa Alpine, Germany)によって供給されるアルピン(Alpine) A-200ジェットシーブを用いて実施し得る。該スクリーンの開口は、必要とされる該粒度分布に依存して選択できる。上記無機粒子状物質は、スクリーニングに先立って粉砕又は磨砕し得る。
【００６１】
上記起泡剤
ここにおいて使用される用語「起泡剤」とは、上記組成物の局所的適用の際及びその間の泡の形成を容易にする材料を言う。従って、ここに記載した如く、上記無機粒状物質は、泡容積を増大し及び/又は該泡の平均バブルサイズを減じることにより、泡の形成をより良くする。特定の態様において、局所的適用は、例えば水道又はシャワーヘッド由来の、水の外部源の存在下にあるであろう。特定の態様において、該起泡剤は、界面活性剤又は界面活性剤混合物を含み、又はこれらである。該界面活性剤又は界面活性剤混合物は、産業界で認識されている発泡特性を有するであろう。即ち、これらは、泡の生成を容易にすることが知られている。このような界面活性剤は、当業者には公知である。同様に、該界面活性剤は清浄化特性、即ち洗浄特性を有するであろうが、その主な用途は起泡剤としての用途であり得る。
特定の態様において、上記起泡剤は、1種又はそれ以上のアニオン性界面活性剤、又は1種又はそれ以上の両性界面活性剤、又は1種又はそれ以上のノニオン性界面活性剤、又はこれらの任意の組合せを含み、又はこれらである。
適当なアニオン性界面活性剤は、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセライドナトリウムサルフェート(lauric monoglyceride sodium sulfate)、ラウリル硫酸ナトリウム、ラウレス硫酸ナトリウム、ラウレス硫酸カリウム、ナトリウムラウリルサルコシネート、ナトリウムラウロイルサルコシネート、ラウリル硫酸カリウム、トリデセス硫酸ナトリウム、ナトリウムメチルラウロイルタウレート、ナトリウムラウロイルイセチオネート、ナトリウムラウレススルホサクシネート、ナトリウムラウロイルスルホサクシネート、ナトリウムトリデシルベンゼンスルホネート、ナトリウムドデシルベンゼンスルホネート、ナトリウムラウリルアンホアセテート(sodium lauryl amphoacetate)、ナトリウムラウリルスルホアセテート、ナトリウムココイルイセチオネート、ナトリウムメチルココイルタウレート及びこれらの混合物を含むが、これらに限定されない。例えば、該アニオン性界面活性剤は、脂肪族スルホネート、例えば一級C8-C22アルカンスルホネート、一級C8-C22アルカンジスルホネート、C8-C22アルケンスルホネート、C8-C22 ヒドロキシアルカンスルホネート又はアルキルグリセリルエーテルスルホネートであり得る。
【００６２】
適当な両性界面活性剤は、脂肪族四級アンモニウム、ホスホニウム、及びスルホニウム化合物の誘導体を含むが、これらに限定されず、ここにおいて該脂肪族基は、直鎖又は分岐鎖であり得、またここで該脂肪族置換基の一つは、約8〜約18個の炭素原子を含み、また一つの置換基は、アニオン性の基、例えばカルボキシ、スルホネート、サルフェート、ホスフェート、又はホスホネートを含む。実例となる両性界面活性剤は、ココジメチルカルボキシメチルベタイン、ココアミドプロピルベタイン、ココベタイン、オレイルベタイン、セチルジメチルカルボキシメチルベタイン、ラウリルビス-(2-ヒドロキシエチル)カルボキシメチルベタイン、ステアリルビス-(2-ヒドロキシプロピル)カルボキシメチルベタイン、オレイルジメチルγ-カルボキシプロピルベタイン、ラウリルビス-(2-ヒドロキシプロピル)α-カルボキシエチルベタイン、及びこれらの混合物である。該スルホベタインは、ステアリルジメチルスルホプロピルベタイン、ラウリルジメチルスルホエチルベタイン、ラウリルビス-(2-ヒドロキシエチル)スルホプロピルベタイン及びこれらの混合物を含むことができる。
適当なノニオン性界面活性剤は、アルキレンオキサイド、特に単独のエチレンオキサイドと又はプロピレンオキサイドと共に反応させた、アルコール、酸、アミド又はアルキルフェノールを含む。模範的なノニオン性界面活性剤は、C6-C22アルキルフェノール-エチレンオキサイド縮合体、C8-C18脂肪族一級又は二級の直鎖又は分岐アルコールとエチレンオキサイドとの縮合生成物、及びエチレンオキサイドと、プロピレンオキサイド及びエチレンジアミンの反応生成物との縮合により製造される生成物である。その他のノニオン性界面活性剤は、長鎖三級アミンオキサイドを含む。他のノニオン性界面活性剤は、ココアミドをベースとし、またココアミドとアルコールアミン、例えばエタノールアミンとの反応により生成される界面活性剤である。模範的なノニオン性界面活性剤は、ココアミドMEA及びココアミドDEAを含む。他の適当なノニオン性界面活性剤は、アルキルポリグルコシド、例えばデシルグルコシド、ラウリルグルコシド及びオクチルグルコシドを含む。
【００６３】
特定の態様において、上記起泡剤は、1種又はそれ以上のラウリル硫酸、ラウレス硫酸、アルキルポリグルコシド、ベタイン、アルキルグルコシド、ココアミドMEA及びココアミドDEAを含む。このような態様において、該起泡剤は、一定量のラウレス硫酸ナトリウムを含むことができる。
特定の態様において、上記起泡剤は、1種又はそれ以上のラウレス硫酸ナトリウム、ナトリウムC14-16オレフィンスルホネート、ナトリウムナトリウムラウリルスルホアセテート、ナトリウムココイルイセチオネート、ナトリウムメチルココイルタウレート、ココアミドプロピルベタイン、ココアミドMEA、及びこれらの混合物を含む。このような態様において、該起泡剤は、ラウレス硫酸ナトリウムを含むことができる。
特定の態様において、上記起泡剤は、1種又はそれ以上のアニオン性界面活性剤及び1種又はそれ以上の両性界面活性剤を含み、また場合によっては更に上記ノニオン性界面活性剤のココアミドMEAをも含む。このような態様において、該1種又はそれ以上のアニオン性界面活性剤は、ラウレス硫酸ナトリウムを含むことができる。
特定の態様において、上記起泡剤は、少なくとも2種のアニオン性界面活性剤及びベタイン、例えばコカミドプロピルベタインの混合物を含み、また場合により更にココアミドMEAをも含む。
【００６４】
上記ベース
特定の態様において、上記ベースは、液体、ゲル、エマルション、ローション又はペーストの形状にある。特定の態様において、該ベースは、液体、ローション又はゲルである。特定の態様において、該ベースは液体である。特定の態様において、該ベースはローションである。特定の態様において、該ベースはゲルである。
特定の態様において、ベースは水を含み、即ち該ベースは水性である。特定の態様において、該ベースは、該ベースの全質量を基準として、少なくとも約30質量％の水、例えば少なくとも約35質量％の水、又は少なくとも約40質量％の水、又は少なくとも約45質量％の水、又は少なくとも約50質量％、又は少なくとも約55質量％の水、又は少なくとも約60質量％の水、又は少なくとも約65質量％の水、又は少なくとも約70質量％の水、又は少なくとも約75質量％の水、又は少なくとも約8質量％の水、又は少なくとも約85質量％の水、又は少なくとも約90質量％の水を含む。特定の態様において、該ベースは、該ベースの全質量を基準として、約30質量％〜約90質量％の水、例えば約35質量％〜約80質量％の水、又は約40質量％〜約75質量％の水、又は約45質量％〜約75質量％の水、又は約50質量％〜約75質量％の水を含む。
上述の如く、上記ベースは、1種又はそれ以上の増粘剤(1又は複数)、懸濁剤(1又は複数)、スキンコンディショニング/モイスチャーライジング剤(1又は複数)、ヘアコンディショニング剤(1又は複数)、香料(1又は複数)、芳香剤(1又は複数)、乳白剤(1又は複数)、真珠光沢剤(1又は複数)、着色剤(1又は複数)、防腐剤(1又は複数)、キレート剤(1又は複数)、保湿剤(1又は複数)、ハーブ及び/又は植物抽出物(1又は複数)、エッセンシャルオイル(1又は複数)、タンパク質(1又は複数)、pH調節剤(1又は複数)、及び抗菌剤(1又は複数)を含むことができる。これらの成分は、上記組成物の全質量を基準として、該組成物の約20質量％まで、例えば該組成物の約0.1質量％〜約15質量％、又は約1質量％〜約10質量％、又は約0.5質量％〜約5質量％を構成する。該組成物は、更に上記起泡剤以外の界面活性剤(1又は複数)をも含むことができる。このような界面活性剤は、如何なる認識し得る発泡特性をも持たないものと、当業者により理解されている。これらの界面活性剤は、主としてクレンジング剤として働き、即ち該組成物の洗浄剤成分の一部を構成し又は形成する。これらの界面活性剤は、該組成物の全質量を基準として、該組成物の約30質量％まで、例えば該組成物の約1質量％〜約30質量％、又は該組成物の少なくとも約5質量％、又は少なくとも約10質量％、又は少なくとも約15質量％、又は少なくとも約20質量％、又は少なくとも約25質量％を構成し得る。当業者は、最終的な組成物中の該成分の量に基いて、そのベースに組入れるための各成分の適切な量を選択することができるであろう。
【００６５】
適当な界面活性剤は、カチオン性界面活性剤、例えばオクテニジン二塩酸塩、永続的に帯電状態にある四級アンモニウム界面活性剤、例えばアルキルトリメチルアンモニウム塩(例えば、セチルトリメチルアンモニウムブロミド、セチルトリメチルアンモニウムクロリド)、セチルピリジニウムクロリド、ベンザルコニウムクロリド、ベンゼトニウムクロリド、5-ブロモ-5-ニトロ-1,3-ジオキサン、ジメチルジオクタデシルアンモニウムクロリド、セトリモニウムブロミド及びジオクタデシルジメチルアンモニウムブロミド等を含む。
適当な界面活性剤は、任意の非発泡性アニオン性、両性又はノニオン性界面活性剤を含む。模範的なノニオン性界面活性剤は、ポリオキシエチレングリコールソルビタンアルキルエステル、例えばポリソルベート、例えばポリソルベート80を含む。
上記ベースは、1種又はそれ以上の増粘剤又は懸濁剤(例えば、レオロジー調節剤)を含むことができる。このような薬剤は、上記組成物全体に渡り分散された上記無機粒状物質の安定性を高めることができる。適当な増粘剤は、典型的に約100,000ダルトンを超える分子量を有する、カチオン性、アニオン性、両性又はノニオン性であり得る、水溶解性/分散性ポリマーを含む。このような薬剤は、同様にスキンクレンジング組成物の粘度を高めるのに役立つ可能性がある。模範的な増粘又は懸濁剤は、炭水化物ガム、例えばセルロースガム、ミクロクリスタリンセルロース、セルロースゲル、ヒドロキシエチルセルロース、ヒドロキシプロピルセルロース、ナトリウムカルボキシメチルセルロース、メチルセルロース、エチルセルロース、グアーガム、カラヤガム、トラガカンスゴム、アラビアガム、アカシアガム、ガム寒天(gum agar)、ザンタンガム及びこれらの混合物；変性及び未変性デンプン顆粒及びα化冷水溶解性デンプン；エマルションポリマー；カチオン性ポリマー、例えば変性ポリサッカライド；カチオン性変性セルロース；合成カチオン性ポリマー；カチオン性デンプン；カチオン性ガラクトマンナン；及び高分子量ポリエチレングリコール、エチレングリコールのエステル又はポリエチレングリコールのエステルを含む。他の適当な増粘/懸濁剤は、例えばポリアクリル酸、アクリル酸のコポリマー及び架橋ポリマー、アクリル酸と疎水性モノマーとのコポリマー、カルボン酸含有モノマーとアクリル酸エステルとのコポリマー、アクリル酸とアクリレートエステルとの架橋コポリマーを含む。
【００６６】
増粘剤又は懸濁剤、例えばレオロジー調節剤は、存在する場合、上記組成物の全質量を基準として、約0.1質量％〜約50質量％、例えば約0.1質量％〜約35質量％、又は約0.1質量％〜約20質量％、又は約0.1質量％〜約10質量％、又は約0.1質量％〜約5質量％という全量で存在し得る。当業者は、最終的な組成物中の該成分の量に基いて、そのベース中に組入れるための各成分の適切な量を選択することができるであろう。
必要ならば、上記組成物のpHを調節するために、特に該組成物がパーソナルケア組成物である場合には、適量のpH調節剤を添加することができる。例えば、シャワー又はバスジェルに対する望ましいpH範囲は、典型的に約5.75〜7である。シャンプーに対する望ましいpHは、僅かに広くて、約5〜7である。殆どのシャンプーは、典型的に凡そ4.5〜5.5という毛髪の自然な酸性度に適合するように、シャワージェルよりも低いpH(凡そ5.5〜6)を有する。適切なpH調節剤は、水酸化ナトリウム、塩化ナトリウム及びクエン酸である。
ベース、起泡剤及び無機粒状物質の適切な量
特定の態様において、上記組成物(例えば、パーソナルケア組成物)中に存在する無機粒状物質の全量は、該組成物の全質量を基準として、約0.1質量％〜約20質量％、例えば約0.1質量％〜約15質量％、又は約1.0質量％〜約15質量％、又は約1.5質量％〜約12質量％、又は約2.0質量％〜約10質量％、又は約2.5質量％〜約10質量％、又は約3.0質量％〜約9.0質量％、又は約3.0質量％〜約8.5質量％、又は約3.0質量％〜約8.0質量％、又は約3.0質量％〜約7.5質量％、又は約3.0質量％〜約7.0質量％、又は約3.5質量％〜約7.0質量％、又は約3.0質量％〜約6.5質量％、又は約3.5質量％〜約6.0質量％、又は約3.0質量％〜約6.0質量％、又は約4.0質量％〜約7.5質量％、又は約4.0質量％〜約7.0質量％、又は約4.0質量％〜約6.0質量％、又は約4.0質量％〜約6.0質量％、又は約4.5質量％〜約5.5質量％、又は約4.5質量％〜約5.0質量％の量である。
【００６７】
特定の態様において、上記組成物(例えば、パーソナルケア組成物)中に存在する無機粒状物質の全量は、約3.5質量％〜約6.5質量％の量である。このような態様において、該無機粒状物質は、パーライト、例えば発泡粉砕パーライトを含み、これから本質的になり、又はこれからなる。該パーライトは、約10μmを超え約70μmまで、例えば約15μm〜約40μm、又は約20μm〜約30μmのd50、又は約25μmに等しいか又はこれを超えるd50を有することができる。該パーライトは、約3μm〜約70μmのd50、例えば約3μm〜約65μm、又は約3μm〜約60μm、又は約3μm〜約55μm、又は約3μm〜約50μm、又は約3μm〜約45μm、又は約3μm〜約40μm、又は約3μm〜約35μm、又は約3μm〜約30μm、又は約5μm〜約30μmのd50を有することができる。
特定の態様において、上記組成物は、該組成物の全質量を基準として、少なくとも約50質量％のベース(例えば、化粧学的に許容されるベース)、約1質量％〜約30質量％の起泡剤、及び約0.1質量％〜約20質量％の無機粒状物質を含む。特定の態様において、該組成物は、少なくとも約55質量％のベース、例えば少なくとも約60質量％、又は少なくとも約65質量％、又は少なくとも約70質量％、又は少なくとも約75質量％、又は少なくとも約80質量％のベースを含む。特定の態様において、該組成物は、約50質量％〜約80質量％のベース、例えば約50質量％〜約75質量％のベース、又は約50質量％〜約70質量％のベース、又は約50質量％〜約65質量％のベースを含む。
特定の態様において、上記組成物は、約2質量％〜約30質量％の起泡剤、例えば約5質量％〜約25質量％の起泡剤、例えば約10質量％〜約22.5質量％の起泡剤、又は約10質量％〜約17.5質量％の起泡剤、又は約10質量％〜約15質量％の起泡剤を含む。このような態様において、該起泡剤は、ラウレス硫酸ナトリウムを含み、これから本質的になり、あるいはこれからなるものであり得る。
【００６８】
上述の如く、ここに記載の如き無機粒状物質の組入れは、ベース及び起泡剤を含む組成物が水で希釈され、また湿潤環境において、例えばシャワー浴又は入浴中の、該組成物の局所的適用を模倣する期間に渡り振盪された場合に、泡容積を増大し及び/又は該泡の平均バブルサイズを減じることによって、該組成物における泡形成を高める。従って、約0.1μm〜約200μmのd50を有する無機粒状物質は、ベース及び起泡剤を含む組成物の局所的適用の際に又はその間に、該組成物の泡容積を増大するために、該組成物(例えば、ヘアシャンプー等のパーソナルケア製品)において使用することができる。特定の態様において、該無機粒子状物質は、パーライトを含み又はこれであり、また該パーライトは約10μを超える、例えば約25μmに等しいか又はこれを超えるd50を有する。特定の態様において、該無機粒子状物質は、パーライトを含み又はこれであり、また該パーライトは、約3μ〜約70μm、例えば約3μm〜約30μmのd50を有する。同様に、約0.1μm〜約200μmのd50を有する無機粒状物質は、ベース及び起泡剤を含む組成物の局所的適用の際に又はその間に発生するその泡の平均バブルサイズを減じるために、該組成物(例えば、ヘアシャンプー等のパーソナルケア製品)中で使用することができる。特定の態様において、該無機粒子状物質は、パーライトを含み又はこれであり、また該パーライトは、約10μmを超える、例えば約25μmに等しいか又はこれを超えるd50を有する。特定の態様において、該無機粒子状物質は、パーライトを含み又はこれであり、また該パーライトは、約3μm〜約70μm、例えば約3μm〜約30μmのd50を有する。
泡容積及び平均バブルサイズは、上に記載され、かつ以下の実施例において記載されるテスト法に従って測定することができる。
【００６９】
特定の態様において、上記無機粒状物質を含む組成物の泡容積は、該無機粒状物質を欠いた匹敵する組成物に係る泡容積(cm3単位で)よりも大きく、例えば該無機粒状物質を含む該組成物の泡容積は、該無機粒状物質を欠いた匹敵する組成物に係る泡容積(cm3単位で)よりも少なくとも約0.5％大きく、又は少なくとも約1.0％大きく、又は少なくとも約1.5％大きく、又は少なくとも約2.0％大きく、又は少なくとも約2.5％大きく、又は少なくとも約3.0％大きく、又は少なくとも約3.5％大きく、又は少なくとも約4.0％大きく、又は少なくとも約4.5％大きく、又は少なくとも約5.0％大きく、又は少なくとも約5.5％大きく、又は少なくとも約6.0％大きく、又は少なくとも約6.5％大きく、又は少なくとも約7.0％大きく、又は少なくとも約7.5％大きく、又は少なくとも約8.0％大きく、又は少なくとも約8.5％大きく、又は少なくとも約9.0％大きく、又は少なくとも約9.5％大きく、又は少なくとも約10.0％大きく、又は少なくとも約10.5％大きく、又は少なくとも約11.0％大きく、又は少なくとも約11.5％大きく、又は少なくとも約12.0％大きく、又は少なくとも約12.5％大きく、又は少なくとも約13.0％大きく、又は少なくとも約13.5％大きく、又は少なくとも約14.0％大きく、又は少なくとも約14.5％大きく、又は少なくとも約15.0％大きく、又は少なくとも約15.5％大きく、又は少なくとも約16.0％大きく、又は少なくとも約16.5％大きく、又は少なくとも約17.0％大きく、又は少なくとも約17.5％大きく、又は少なくとも約18.0％大きく、又は少なくとも約18.5％大きく、又は少なくとも約19.0％大きく、又は少なくとも約19.5％大きく、又は少なくとも約20.0％大きい可能性がある。
【００７０】
付随的にあるいはまた、特定の態様において、上記無機粒状物質を含む組成物は、該組成物の局所的適用の際に又はその間に発生する泡の所定の平均バブルサイズを持ち、該平均バブルサイズは、該無機粒状物質を欠いた匹敵する組成物の局所的適用の際に又はその間に発生する泡の平均バブルサイズよりも小さく、例えば該平均バブルサイズは、少なくとも約30％小さく、又は少なくとも約40％小さく、又は少なくとも約50％小さく、又は少なくとも約60％小さく、又は少なくとも約70％小さく、又は少なくとも約75％小さい。
理論に拘泥するつもりはないが、上記無機粒状物質が、恐らく該粒子状物質内の粒子の形態及び粒度に関連して、上記バブルに対する核形成サイトを提供しているものと仮定される。空気で満たされた粒子を含むパーライトに関連して、これら粒子中の該空気は、バブル形成及び該生成された泡の安定性を支援している可能性がある。
更に、より小さなバブルサイズが、そのユーザーに対する、よりクリーミーな肌触り感に寄与している。よりクリーミーな肌触りは、一般的にユーザーにとって望ましいものである。従って、特定の態様において、上記無機粒状物質を含む組成物は、該無機粒状物質を欠いた匹敵する組成物よりも一層クリーミーな肌触りを有する。従って、特定の態様において、ここに記載の無機粒状物質は、ユーザーに対する肌触り感のクリーミー性を高めるために、ベース及び起泡剤を含む組成物(例えば、ヘアシャンプー等のパーソナルケア製品)において使用される。
【００７１】
調製法
本発明に係る特定の態様に従う組成物は、このような組成物、例えばヘアシャンプー、シャワージェル等を製造する従来の方法によって製造し得る。一般に、上記無機粒状物質は、適切な量で、上記ベース、起泡剤(1又は複数)及び無機粒状物質を混合せることによって、該組成物中に組み込まれる。該混合わせ段階は、混合、例えば剪断混合を含むことができる。該無機粒状物質の組込み前、その最中又はその後に、あらゆる追加の成分を該組成物に添加することができる。典型的には、通常、該ベース及び起泡剤に係るその成分の大部分を、先ず製造し、次いで該無機粒状物質及び任意の他の追加の成分と混合せる。特定の態様において、該混合は、均質な混合物を生成するのに十分な期間に渡り行われる。
【００７２】
誤解を避けるために、本件出願は、以下の番号付けされたパラグラフに記載されている趣旨を対象とする：
1. 約0.1μm〜約200μmのd50を持ち、ベース、起泡剤及び無機粒状物質を含有する組成物。
2. 番号付けパラグラフ1に従う組成物であって、該組成物は、パーソナルケア組成物であり、かつそのベースは化粧学的に許容されるベースである。
3. 番号付けパラグラフ2に従うパーソナルケア組成物であって、該パーソナルケア組成物は、ヘア及び/又はスキンクレンジング組成物である。
4. 番号付けパラグラフ3に従うヘアクレンジング組成物であって、該ヘアクレンジング組成物は、ヘアシャンプー及び/又はコンディショナーである。
5. 番号付けパラグラフ2に従うパーソナルケア組成物であって、該パーソナルケア組成物は、シェービングフォーム又はジェルである。
6. 番号付けパラグラフ1に従う組成物であって、該組成物は、食器洗い用製剤である。
7. 番号付けパラグラフ6に従う食器洗い用製剤であって、該食器洗い用製剤は、液体又はゲル、例えば食器洗い用洗剤(washing-up liquid)である。
8. 先行する番号付けパラグラフのいずれかに従う組成物であって、その無機粒状物質は、約3μm〜約100μmのd50、例えば約10μmを超え約100μmまでのd50、例えば約10μmを超え約70μmまでのd50を有する。
9. 先行する番号付けパラグラフのいずれかに従う組成物であって、その起泡剤は界面活性剤又は界面活性剤混合物である。
10. 番号付けパラグラフ9に従う組成物であって、その起泡剤は、1種又はそれ以上のアニオン性界面活性剤、又は1種又はそれ以上の両性界面活性剤、又は1種又はそれ以上のノニオン性界面活性剤、又は任意のこれらの組合せを含む。
【００７３】
11. 番号付けパラグラフ9に従う組成物であって、その無機粒状物質は、パーライト、アルカリ土類金属炭酸塩又は硫酸塩、例えば炭酸カルシウム、例えば天然の炭酸カルシウム及び/又は沈降炭酸カルシウム、炭酸マグネシウム、ドロマイト、石膏、アルミノケイ酸塩(例えば、カオリン、ハロイサイト又はボールクレー等の含水カンダイト、メタカオリン又は十分に焼成されたカオリン等の無水(焼成)カンダイトクレー)、タルク、マイカ、珪藻土、バーミキュライト、パミス、水酸化マグネシウム、アルミニウム三水和物、及びこれらの組合せからなる群から選択される。
12. 番号付けパラグラフ11に従う組成物であって、その無機粒状物質は、パーライト、珪藻土、又はタルク、例えば発泡パーライトであり、かつ粉砕されていても、又は未粉砕であってもよい。
13. 番号付けパラグラフ12に従う組成物であって、その発泡パーライトは、発泡粉砕パーライトであり、場合により約3μm〜約70μmのd50を有する。
14. 先行する番号付けパラグラフのいずれかに従う組成物であって、該組成物は、該組成物の全質量を基準として、約0.1質量％〜約10質量％の上記無機粒状物質、例えば約3質量％〜約7質量％の該無機粒状物質を含む。
15. 先行する番号付けパラグラフのいずれかに従う組成物であって、該組成物は、該組成物の全質量を基準として、少なくとも約60質量％のベース及び約1質量％〜約30質量％の起泡剤を含む。
16. 先行する番号付けパラグラフのいずれかに従う組成物であって、そのベースは、少なくとも約50質量％の水を含み、及び場合により更に1種又はそれ以上の、上記起泡剤以外の界面活性剤(1又は複数)、増粘剤(1又は複数)、懸濁剤(1又は複数)、スキンコンディショニング/モイスチャーライジング剤(1又は複数)、ヘアコンディショニング剤(1又は複数)、香料(1又は複数)、芳香剤(1又は複数)、乳白剤(1又は複数)、真珠光沢剤(1又は複数)、着色剤(1又は複数)、防腐剤(1又は複数)、キレート剤(1又は複数)、保湿剤(1又は複数)、ハーブ及び/又は植物抽出物(1又は複数)、エッセンシャルオイル(1又は複数)、タンパク質(1又は複数)、pH調節剤(1又は複数)、及び抗菌剤(1又は複数)をも含む。
【００７４】
17. 先行する番号付けパラグラフのいずれかに従う組成物であって、該組成物の泡容積は、上記無機粒状物質を欠いた匹敵する組成物の泡容積よりも大きい。
18. 先行する番号付けパラグラフのいずれかに従う組成物であって、該組成物を局所的に適用した際に又はその間に発生する泡の平均バブルサイズは、上記無機粒状物質を欠いた匹敵する組成物を局所的に適用した際に又はその間に発生する泡の平均バブルサイズよりも小さい。
19. 先行する番号付けパラグラフのいずれかに従う組成物を、約1質量％〜約99質量％の水で希釈することにより製造される、希薄組成物。
20. 約0.1μm〜約200μmのd50を有する無機粒状物質の、ベース及び起泡剤を含有する組成物における、該組成物を局所的に適用した際又はその間の該組成物の泡容積を増大させるための使用。
21. 約0.1μm〜約200μmのd50を有する無機粒状物質の、ベース及び起泡剤を含有する組成物における、該組成物を局所的に適用した際に又はその間に発生する泡の平均バブルサイズ減じるための使用。
22. 先行する番号付けパラグラフ1〜18のいずれか1つに従う組成物の製造方法であって、該方法は、適量で、番号付けパラグラフ1〜18のいずれか1つにおいて定義された如き、ベース、起泡剤及び無機粒状物質を混合せる工程を含む。
【実施例】
【００７５】
実施例1及び2は、上記第一の一般的局面に関連する。
実施例3は、上記第二の一般的な局面に関連する。
実施例4及び5は、上記第三の一般的局面に関連する。
実施例1
テスト法
・スクラブ感
このスクラブ感を評価するために、12名の被験者(6名の男性−6名の女性)からなるパネルに、各ジェルを順次使用して、手及び腕を擦り洗いし、該ジェルにどれ程満足感を感じるかについてランク付けするよう依頼する。製造されたこれらのジェル全ては、ゴタレン(Gotalene (RTM)) 135無色26マイクロビーズを含有する標準的なジェルに対してテストされた。各ジェルに関するゲルベースは同一である。このランキングは1から5に及び、5が極めて良好な感触である。該テストはブラインドで行われ、従って各被験者は、彼らがどの無機粒状物質(又はゴタレン)を使用したかを知らない。データを集め、テストされた各ジェルについて平均ランクを算出した。
・摩損性
上記無機粒状物質の摩損性は、上記ゴタレンマイクロビーズ及び店で購入したエクスフォリエイティングジェルである、そのスクラブ粒子として天然のヘチマ(Luffa)抽出物を含むシンプル(Simple)(RTM)エクスフォリエイティングジェルと比較された。
装置
・ドイツ国エリクセン(Erichsen, Germany)により供給された、湿式耐磨耗スクラブ装置(wet abrasion scrub machine)(2つのホルダーを含む)；
・英国、ハイファイインダストリアルフィルム社(HiFi Industrial Film, Ltd, UK)により供給された、100μmの高光沢ブラックポリエステルフィルム；
・英国、シーンインスツルメンツ(Sheen Instruments, UK)社により供給された、合成スポンジ；
・英国、シーンインスツルメンツ(Sheen Instruments, UK)社により供給された、トリ-グロスマスター(Tri-Glossmaster)；
・メトラートレド(Mettler Toledo)により供給された、メトラーAE 160アナリティカルバランス(Mettler AE 160 Analytical balance)。
【００７６】
このテストは、BS7719:1194, アネックス(Annex) C (スクラブ抵抗の測定方法)に基いている。上記スポンジは、温水中に漬けられ、また分析用天秤で、8g±0.5gに達するまで計量された。次いで、該角質ジェル(exfolient gel)を、スポンジに5g±0.5gまで添加した。これらのスポンジを、上記スクラブ装置のホルダー及び該ポリエステルフィルムと接触する点に設置した。該スクラブ装置を、スクラビングの前後運動をシミュレートするために、20サイクル(約30秒の継続期間)に設定した。20サイクルの完了後、該フィルムを取去り、その残部を温水で洗流し、かつ乾燥させた。一旦乾燥したら、該フィルムパネルを、上記トリグロスマスターを用いて20°における光沢につきテストした。20°が選択された。その理由は、高光沢の支持体を解析する場合、この角度が光沢レベルの変化に対してより敏感であるからである。該光沢を測定し、また保持された光沢の割合を計算した。
上記テストは、上記無機粒状物質及び上記ゴタレンマイクロビーズを含有するジェルについて繰り返された。
・光学画像
上記無機粒状物質の幾つかに係る低倍率光学画像を、英国のキーエンス(Keyence, UK)により供給された、キーエンス(Keyence) VHX-1000顕微鏡を用いて撮影した(倍率200xまで)。
図3は、微小球アルミナであるMA No.2に関する光学画像である。図4は、微小球パーライトであるPM No.1に関する光学画像である。
一連の無機粒状物質を、ゴタレンPEビーズ1.5質量％と等価な体積の量にてジェルに添加した。該ジェルは店で購入したジェル、即ちPZカッソンズ(PZ Cussons)によるインペリアルレザー(RTM)オーシャンフレッシュ(Imperial Leather (RTM) Ocean Fresh)活力付与性シャワージェル(revitalising shower gel)である。該ジェルの比重は、1.016g/ccであった。該ジェルは、低剪断における約20Pa.sから高剪断における約2Pa.sまでの粘度を有する、剪断応力に対して疑似塑性挙動を示した。ゴタレン(RTM) 135無色26マイクロビーズを含有する匹敵するジェルを製造した。これらのジェルを、スクラブ感及び摩損性につきテストした。
テストされた各無機粒状物質及び組成物に係る詳細及び結果を、表1及び図1及び2にまとめた。
【００７７】
【表１】
0006348549.tif 000002
EP=発泡パーライト; EMP=発泡粉砕パーライト; PM=パーライト微小球; 
FA=溶融アルミナ; MA=アルミナ微小球
【００７８】
実施例2
ここにおいてパーライトA(perlite A)と呼ぶ、微小球パーライトのサンプルを得た。これは以下の表2に示された粒度分布を有する。パーライトAの圧潰強さは、以下に記載されるテスト法に従って測定した。結果を表2にまとめる。
【００７９】
【表２】
0006348549.tif 000003
【００８０】
圧潰強さのテスト法
このテストは、スチール製ダイセット内に保持された材料の床を、その元の体積の30％だけ圧潰するに要する圧力を測定する。
60cm3のサンプルを測定し、また該シリンダ状のダイに移す。該ダイは、内径50.65及び内側長さ60.9mmを有する。該ダイを、10秒間に渡り平坦な表面上で穏やかに動揺させて、該材料を該ダイ内で「固まりにする」。ピストン(該ダイの径に相補的な径を有する)を、該ダイ内の該サンプル上部に静かに載置する。
該ダイの上部上方に突き出している該ピストンの高さを、ディジタルマイクロメータで測定し、かつ記録するが、これは、圧縮前の該サンプルに係る上記床の深さの算出を可能とする。
張力計は、クランプホルダに取付けられているが、クランプされていない10kNのロードセル(load cell)を備えている。該サンプル及びピストンを備えた該ダイは、次に張力計のクロスヘッドの下方に配置され、また該クロスヘッドは下げられ、そのためこれは該ピストンの上部に近くなる。
張力計内の位置
上記圧力は、上記ピストンが徐々に該ダイ内に移動される際に、監視される。この測定は、監視され、またデータは、Qmatソフトウエアを用いて解析される。次いで、30体積％圧縮率における該圧力が得られる。
嵩密度テスト法
ある物質の嵩密度は、該物質が自由流動状態に置かれた後に、該物質の質量をその収容された体積によって割った場合に得られる値である。
このテストは、粉末及び顆粒状の材料について行うことができる。該材料は、通常前もって乾燥することなしに、該材料に自由流動性を与えて、テストされる。該自由流動の状態は、落下の高さ及びその収容体積により定義される。該テスト材料の粒度は、ロートのステムの径により限定されている(以下の装置を参照)。
【００８１】
装置(ISO9001対応)
ロート、内径11cm、ステム径1cm、長さ12cm
収容容器；内径2.5cm、深さ10cm
天秤；1,000g〜0.01gを秤量し得る；
レトルトスタンド、クランプ及びボス
直定規
7cm測定用の物差し
方法
上記レトルトスタンドにロートを取り付ける。
上記収容容器の重量の風袋測定。
該収容容器を、該ロート下方に配置する。
上記クランプ及びボスを調節し、結果として該ロートのステムを垂直にし、またその端部を、該収容容器上部の上方7cmとする。
上記テスト材料を、該収容容器が溢れるまで、該ロートに流込む。
上記直定規を用いて、該収容容器の上部を横切って、該テスト材料を平に均す。
該テスト材料の正味の重量を図り、記録する。
結果の表示
嵩密度(BD)は、g/cm3単位で表され、また以下のように計算される：
BD = W/V
ここで、Wは記録された上記テスト材料の正味の重量であり、またVは上記収容容器の容積である。
【００８２】
実施例3
摩損性テスト法
装置：
・ドイツ国のエリクセン(Erichsen, Germany)により供給された湿式磨耗スクラブ装置(2つのホルダーを含む)；
・英国、ハイファイインダストリアルフィルム社により供給された、100μmの高光沢ブラックポリエステルフィルム；
・英国、シーンインスツルメンツ社により供給された、合成スポンジ；
・英国、シーンインスツルメンツ社により供給された、トリ-グロスマスター；
・メトラートレドにより供給された、メトラーAE 160アナリティカルバランス。
このテストは、BS7719:1194, アネックスC(スクラブ抵抗を測定する方法)に基くものである。上記スポンジは、温水中に漬けられ、また分析用天秤で、8g±0.5gに至るまで計量された。次いで、上記クレンジング組成物を、スポンジに5g±0.5gにて添加した。これらのスポンジを、上記スクラブ装置のホルダー及び該ポリエステルフィルムと接触する点に設置した。該スクラブ装置を、スクラビングの前後運動をシミュレートするために、20サイクル(約30秒間の継続期間)に設定した。20サイクルの完了後、該フィルムを取去り、その残部を温水で洗流し、かつ乾燥させた。一旦乾燥したら、該フィルムパネルを、上記トリグロスマスターを用いて20°における光沢につきテストした。20°は、高光沢の支持体を解析する場合に、この角度が、光沢レベルの変化に対してより高感度であることから選択された。該光沢を測定し、また保持された光沢の割合を計算した。
上記無機物は、1質量％にて、クリーンラインプロフェッショナルGP(Clean Line Professional GP)という軽度に濃縮された洗浄剤(英国、バーミンガムのプライムソース(Prime Source, Birmingham UK)により製造された)に添加され、また20サイクルに渡り上記摩耗テスタ上でスクラビングされた。
テストされた各無機粒状物質及び組成物の詳細及び結果を以下の表3にまとめた。
【００８３】
【表３】
0006348549.tif 000004
EP=発泡パーライト(非-球形)；PM=パーライト微小球；AM=アルミナ微小球
【００８４】
実施例4
各々が異なる無機粒状物質(即ち、異なる型又は異なる粒度分布)を含む、一連のシャンプーを調製した。該無機粒状物質に係る詳細は、以下の表５に与えられている。
各シャンプーに対して、上記無機粒状物質を、市販品として入手し得るシャンプーに、各シャンプーが5質量％の該無機粒状物質を含むように添加した。
各シャンプー/無機粒子状物質のブレンドを、水で10％まで希釈し、かつ該無機粒状物質が十分に組込まれるまで、低剪断応力にて混合した。使用したミキサは、英国、シナジーデバイスズ社(Synergy Devices Ltd, UK)によるスピードミキサ(Speed mixer)(TM) DAC 150FVZであった。このミキサの速度は300rpmであり、また混合継続期間は1分であった。
各希釈されたシャンプーのサンプルを、150mLポリスチレンボトルに移し、手で15秒間振盪し、またTO(即ち、振盪を停止した直後)及びT5分において、泡の高さを記録した。以下の表における泡の高さは、TOにおける値のみである。
平均バブルサイズを測定するために、上記振盪工程の停止後30秒まで、画像を撮影し、またその平均バブルサイズを、画像解析ソフトウエアを利用して決定した。ライカ(Leica)による画像解析ソフトウエアを、該画像の解析のために使用した。該画像を、該ソフトウエアを用いて開き、縮尺をキャリブレーションし、かつ約100〜120個のバブルからなるサンプルを、丸く線で描いた。これから、平均面積並びに該サンプルの平均長さ及び幅を、該ソフトウエアにより算出した。従って、該バブルがその形状において回転楕円形であるものと仮定して、即ち至る所において同一の幅を仮定して、平均バブルサイズに対する体積を算出し得る。
結果を表5及び図5にまとめた。
【００８５】
【表５】
0006348549.tif 000005
【００８６】
実施例5
一連のシャンプーを製造した。その一つは、無機粒状物質を含まず、また4つの他のシャンプーは、各々5質量％の、5μmのd50を有する発泡粉砕パーライト及び異なる量のラウレス硫酸ナトリウム(SLES)を起泡剤として含んでいた。SLESの量における違いは、水により補った。該無機粒状物質に係る詳細は、以下の表6に与えられている。無機粒状物質を持たないシャンプーは24質量％のSLESを含んでいた。各シャンプーに関する泡容積は、実施例4に記載の手順に従って測定された。
【００８７】
【表６】
0006348549.tif 000006
本発明の好ましい態様は、以下の通りである。
１．化粧学的に許容されるベース、及び
パーライト、バーミキュライト、アルミナ、ネフェリン、及びこれらの混合物からなる群から選択される無機粒状物質、
を含むことを特徴とするパーソナルケアクレンジング組成物。
２．ベース、及び
球状パーライト、アルミナ、バーミキュライト、ネフェリン、及びこれらの混合物からなる群から選択される無機粒状物質、
を含むクリーニング組成物。
３．ベース、起泡剤及び約0.1μm〜約200μmのd50を有する無機粒状物質を含むことを特徴とする組成物。
４．前記無機粒状物質が、パーライトであり、かつ該パーライトが、球状パーライトである、上記１に記載のパーソナルケアクレンジング組成物。
５．前記パーライト又は球状パーライトが、発泡パーライトであり、場合により該発泡パーライトが、粉砕されていない、上記１又は４に記載のパーソナルケアクレンジング組成物。
６．前記球状パーライトが、微小球を含み、例えば該球状パーライトの少なくとも80質量％が微小球である、上記４又は５に記載のパーソナルケアクレンジング組成物。
７．前記微小球が、実質上閉じられており、かつ中空である、上記６に記載のパーソナルケアクレンジング組成物。
８．前記無機粒子状物質が、約500μm以下の、例えば約400μm以下のd90を有する、上記１及び４〜７のいずれか１項に記載のパーソナルケアクレンジング組成物。
９．前記無機粒状物質が、少なくとも約30μmのd10及び約500μm以下のd90、例えば少なくとも約30μmのd10及び約400μm以下のd90を有する、上記８に記載のパーソナルケアクレンジング組成物。
１０．前記無機粒状物質が、約0.10〜約4.0g/ccの密度を有する、上記１及び４〜９のいずれか１項に記載のパーソナルケアクレンジング組成物。
１１．前記無機粒状物質が、約65％〜約75％の白色度を有する、上記１及び４〜10のいずれか１項に記載のパーソナルケアクレンジング組成物。
１２．前記無機粒状物質が、約1,000kPaを超える圧潰強さを有する、上記１及び４〜11のいずれか１項に記載のパーソナルケアクレンジング組成物。
１３．前記無機粒状物質が、約150〜500g/lの嵩密度を有する、上記１及び４〜12のいずれか１項に記載のパーソナルケアクレンジング組成物。
１４．前記クレンジング組成物が、シャワージェル又はバスジェルであり、あるいは該パーソナルケア組成物が、ヘアシャンプー、例えばフケ防止シャンプーであり、かつ前記化粧学的に許容されるベースが、ヘアシャンプーにおいて使用するのに適した成分を含む、上記１及び４〜13のいずれか１項に記載のパーソナルケアクレンジング組成物。
１５．上記１及び４〜13のいずれか1項において定義された無機粒状物質の、(i) 該無機粒状物質がスクラブ感、皮膚剥離、又は両者をもたらすゲル、例えばシャワージェルを含むパーソナルケアクレンジング組成物；あるいは(ii) 該無機粒状物質が、頭皮の皮膚の剥離を助け、又は該剥離をもたらすヘアシャンプー、例えばフケ防止シャンプーにおける使用。
【図１】
0006348549.tif 000007
【図２】
0006348549.tif 000008
【図３】
0006348549.tif 000009
【図４】
0006348549.tif 000010
【図５】
0006348549.tif 000011